(57)【要約】【課題】使用者が遊戯に一層満足できる写真プリント提供装置を提供する。【解決手段】本発明の写真プリント提供装置は、編集側筐体２は撮影ブース４の外側に突出するよう設けられるとともに、上面が略水平に構成され、当該編集側筐体２の上記上面にタブレットディスプレイ１３が設置され、ユーザ１５がプリンタ１２で印刷出力された印刷媒体３５を取り出すためのプリント取出口９を、撮影ブース４の上記外側であってユーザ１５が編集側筐体２に相対する方から見て上記編集側筐体２の側面に設け、ＣＰＵ１０１ａ，１５１ａは、カメラ２１ａ，２１ｂ、タブレットディスプレイ１３ならびにプリンタ１２を独立して並列に制御する。【選択図】図１９
2005122684.tif 000002
【特許請求の範囲】
【請求項１】
使用者を被写体として撮影する撮影手段を前面に有する撮影側筐体を含む撮影スペースと、
使用者が撮影画像に対する落書き入力する落書き入力領域を含む編集画面を表示する表示手段を有する編集側筐体と、
上記撮影画像を含む画像を写真プリントとして印刷出力するプリンタと、
上記表示手段に編集画面を表示し落書き入力を使用者に実行させる制御手段とを備え、
上記編集側筐体は上記撮影スペースの外側に突出するよう設けられるとともに、上面が略水平に構成され、当該編集側筐体の上記上面に上記表示手段が設置され、
使用者が上記プリンタで印刷出力された印刷媒体を取り出すためのプリント取出口を、上記撮影スペースの上記外側であって使用者が上記編集側筐体に相対する方から見て上記編集側筐体の側面に設け、
上記制御手段は、上記撮影手段、表示手段ならびにプリンタを独立して並列に制御することを特徴とする写真プリント提供装置。
【発明の詳細な説明】
【技術分野】
【０００１】
本発明は、例えばゲームセンター等に設置され、硬貨等の投入により撮影画像をプリントして販売する写真プリント提供装置に関するものである。
【背景技術】
【０００２】
近年、ゲームセンター等において、写真を撮影してシールプリント等にする写真プリント提供装置が数多く設置されている。このような写真プリント提供装置は、一般に、カメラ等の撮影装置で撮影される画像（撮像映像）をモニタ等の表示部に表示し、使用者（ユーザ）のシャッタ操作により、撮影装置で撮影された画像（撮影画像）に対して手書き画像やフレーム画像等の落書き画像を合成し、その落書き画像を写真プリントとして印刷出力するものである。すなわち、使用者は、撮影画像に好みの落書き画像を入力し、その合成画像を写真プリントとして得ることができるようになっている。
【０００３】
このような写真プリント提供装置において、使用者は所望のスタンプ、ライン、フレームなどの落書き画像を配置したり、いわゆるタッチペン等の入力手段で手書き入力したりする編集作業（いわゆる「お絵描き」）を行なう。使用者は、このような作業をすることにより、撮影プレイだけでなく、編集プレイを楽しむことができるとともに、オリジナリティのある写真プリントを得ることができる。
【０００４】
また、編集を効率的かつ複数のユーザが同時に編集作業（編集プレイ）を楽しめるように、複数のタッチペンや落書き画像を入力するための複数の落書き入力領域を設け、編集入力を複数のユーザで同時に行なうことを可能にすることによって、迅速かつ効率的に入力できるようにした画像印刷装置が提案されている（例えば、下記の特許文献１参照。）。
【０００５】
特許文献１に示されるような装置は、被写体を撮影する撮影手段と、上記撮影手段により撮影された上記被写体の画像を表示する第１の表示手段と、上記第１の表示手段により表示された上記画像に対して入力された編集入力を受け付ける受付手段と、上記受付手段により受け付けられた上記編集入力に基づいて上記画像を編集する編集手段と、上記編集手段により編集された上記画像を印刷する印刷手段とを備え、上記第１の表示手段は、複数の表示画面から構成され、上記受付手段は、上記複数の表示画面のそれぞれに対応して、複数個設けられている。
【０００６】
また、編集対象として選択された複数の画像をそれぞれ異なる方向に表示し、入力手段は方向毎に設け、より効率的に編集入力を行なえるようにした画像印刷装置が提案されている（例えば、下記の特許文献２参照。）。特許文献２に示されるような装置は、被写体を撮影する撮影手段と、上記撮影手段により撮影された上記被写体の画像を表示する表示手段と、上記表示手段により表示された上記画像に対する編集を入力する入力手段と、上記入力手段による入力に基づいて上記画像を編集する編集手段とを備え、上記表示手段は、上記編集手段による編集が行なわれるとき、編集対象として選択された複数の上記画像をそれぞれ異なる方向に表示し、上記入力手段は上記方向毎に設けられている。
【特許文献１】特開２００２−７７７８２号公報
【特許文献２】特開２００３−１９８９９８号公報
【発明の開示】
【発明が解決しようとする課題】
【０００７】
しかしながら、上記のような装置において、編集時の編集画面における落書き入力領域は、１つあるいは複数で固定的であるが、１プレイ時における使用者は、人数が何人と限定されるものではなく、毎回異なるため、落書き入力領域の数とプレイする人数が合わないという状況が発生する。すなわち、落書き入力領域が２つあったとしても、使用者は、２人に限られるもではなく、３人以上いる場合や１人の場合もある。
【０００８】
例えば、落書き入力領域を２つ設けた装置において、使用者が１人につき１つの落書き入力領域で編集を行ないたい場合には、使用者が３人の場合は１人が編集プレイできず、使用者が１人の場合はもう１つの落書き入力領域が邪魔になり編集し難い。また、落書き入力領域を３つ以上設けたとしても、１つしか設けなかった場合と同様に、使用者の人数や編集形態に個別に対応できないため、使用者によっては編集し難いという問題が生じる。また、落書き入力領域が複数あると、編集画面の表示領域のスペース上、それらの画像入力領域が小さく固定的に表示されてしまうため、大きな落書き入力領域で編集したい使用者にとっては編集し難いという問題がある。さらに、使用者の人数と落書き入力領域の数が同じ場合であっても、使用者によっては、例えば１つの落書き入力領域上で２人で編集したい場合等のように使用者の所望の編集形態はそれぞれ異なることがあるため、固定的なレイアウトで構成された編集画面では、真に使用者の希望に適った編集プレイを提供することができない場合が多い。
【０００９】
本発明は、このような事情に鑑みなされたもので、使用者が遊戯に一層満足できる写真プリント提供装置の提供を目的とする。
【課題を解決するための手段】
【００１０】
上記目的を達成するため、本発明の写真プリント提供装置は、使用者を被写体として撮影する撮影手段を前面に有する撮影側筐体を含む撮影スペースと、使用者が撮影画像に対する落書き入力する落書き入力領域を含む編集画面を表示する表示手段を有する編集側筐体と、上記撮影画像を含む画像を写真プリントとして印刷出力するプリンタと、上記表示手段に編集画面を表示し落書き入力を使用者に実行させる制御手段とを備え、上記編集側筐体は上記撮影スペースの外側に突出するよう設けられるとともに、上面が略水平に構成され、当該編集側筐体の上記上面に上記表示手段が設置され、使用者が上記プリンタで印刷出力された印刷媒体を取り出すためのプリント取出口を、上記撮影スペースの上記外側であって使用者が上記編集側筐体に相対する方から見て上記編集側筐体の側面に設け、上記制御手段は、上記撮影手段、表示手段ならびにプリンタを独立して並列に制御することを要旨とする。
【発明の効果】
【００１１】
すなわち、本発明の写真プリント提供装置によれば、上記編集側筐体は上記撮影スペースの外側に突出するよう設けられるとともに、上面が略水平に構成され、当該編集側筐体の上記上面に上記表示手段が設置され、使用者が上記プリンタで印刷出力された印刷媒体を取り出すためのプリント取出口を、上記撮影スペースの上記外側であって使用者が上記編集側筐体に相対する方から見て上記編集側筐体の側面に設け、上記制御手段は、上記撮影手段、表示手段ならびにプリンタを独立して並列に制御する。
【００１２】
したがって、使用者は、撮影側、編集側のそれぞれで並列にプレイをすることが可能になる。また、上記表示手段を設置する編集側筐体の上面を略水平に構成することで、使用者は他方向から編集することが可能になる。例えば、用意しておく編集画面のレイアウトも、画面数、編集アイテムの配置だけでなく、画面の向きなども選択できるようにすることで、使用者は、同じ画面数であっても、同一方向を向いて編集するか、対面を向いて編集するかなど、編集する時に立つ位置が選択できることになるため、使用者のそれぞれの状況や、所望のプレイスタイル（編集形態）に対応できる。
【００１３】
また、使用者に対して上記編集側筐体の使用者が相対する方から見て上記編集側筐体の側面に設けられたプリント取出口から印刷出力された印刷媒体を取り出せるようにすることで、編集プレイを終えた使用者を写真プリント提供装置の外に待機させ、プリンタの印刷時間の間に、つぎの使用者（例えば、編集プレイを待機している使用者）に編集プレイを開始させることができる。
【００１４】
本発明において、上記制御手段は、複数種類の編集画面の中から所定の編集画面を選択する編集画面選択ステップを実行し、上記編集ステップで、上記編集画面選択ステップにおいて選択された編集画面を上記表示手段に表示し落書き入力を使用者に実行させる場合には、上記編集ステップにおいて、複数種類の編集画面の中から所定の編集画面を選択する編集画面選択ステップで選択された編集画面を上記表示手段に表示し落書き入力を使用者に実行させる。そして、上記撮影画像と、上記編集画面の落書き入力領域に入力された落書き入力画像との合成画像を写真プリントとして印刷出力することができる。
【００１５】
すなわち、上記表示手段は、上記編集ステップにおいて、複数種類の編集画面の中から所定の編集画面を選択する編集画面選択ステップで選択された編集画面を表示する。そして、使用者は、その編集画面の落書き入力領域に落書き入力を実行し、上記撮影画像と、上記編集画面の落書き入力領域に入力された落書き入力画像との合成画像を写真プリントとして得ることができる。
【００１６】
したがって、上記複数種類の編集画面の中から選択された編集画面が、例えば使用者の人数や２人で１つの落書き入力領域に落書き入力する等の使用者の編集形態に合ったレイアウトの編集画面である場合、使用者に対して個別のプレイ状況や所望の編集形態に合わせた編集プレイを提供することができる。また、使用者のプレイ人数や編集形態に対応できるため、例えば、使用者が少人数である場合において、落書き入力領域が大きい編集画面を選択することで、使用者（特に大きな落書き入力領域や落書き機能選択領域で編集プレイを行ないたい使用者）は編集プレイが行ない易くなる等、使用者の満足度を向上させることができる。
【００１７】
本発明において、上記編集画面に使用者が上記落書き入力領域に落書き入力するための落書き機能を選択する落書き機能選択領域を含め、上記編集画面選択ステップでは、上記落書き入力領域および／または上記落書き機能選択領域の数が異なる複数種類の編集画面の中から所定の編集画面を選択し、上記編集ステップでは、上記編集画面選択ステップにおいて選択された編集画面を上記表示手段に表示してその落書き入力領域に当該編集画面の落書き機能選択領域で選択された機能による落書き入力を使用者に実行させる場合には、上記編集ステップにおいて、上記落書き入力領域および／または上記落書き機能選択領域の数が異なる複数種類の編集画面の中から所定の編集画面を選択する編集画面選択ステップで選択された編集画面を上記表示手段に表示してその落書き入力領域に当該編集画面の落書き機能選択領域で選択された機能による落書き入力を使用者に実行させる。そして、上記撮影画像と、上記編集画面の落書き入力領域に入力された落書き入力画像との合成画像を写真プリントとして印刷出力することができる。
【００１８】
すなわち、上記表示手段は、上記編集ステップにおいて、上記落書き入力領域および／または上記落書き機能選択領域の数が異なる複数種類の編集画面の中から所定の編集画面を選択する編集画面選択ステップで選択された編集画面を表示する。そして、使用者は、その編集画面の落書き入力領域に当該編集画面の落書き機能選択領域で選択された機能による落書き入力を実行し、上記撮影画像と、上記編集画面の落書き入力領域に入力された落書き入力画像との合成画像を写真プリントとして得ることができる。
【００１９】
本発明において、上記複数種類の編集画面は、少なくとも落書き入力領域の数が異なる複数種類のレイアウトの編集画面を含み、上記編集画面選択ステップでは、落書き入力領域の数が異なる複数種類の編集画面から、落書き入力領域の数が適切な編集画面を選択する場合には、落書き入力領域の数が適切な編集画面が、例えば使用者の人数に対応した数の落書き入力領域を有する場合ならば、使用者は、それぞれ１つの落書き入力領域を専有して落書き入力することができる。また、落書き入力領域の数が適切な編集画面が、例えば上記編集形態に対応した数の落書き入力領域を有する場合ならば、人数よりも多いあるいは人数よりも少ない数の落書き入力領域に落書き入力したい使用者の編集形態に対応することができる。
【００２０】
本発明において、上記編集画面選択ステップでは、上記落書き入力領域が１つ設けられた１画面モードの編集画面と、上記落書き入力領域が２つ設けられた２画面モードの編集画面とのうち適切な編集画面を選択する場合には、使用者は、上記編集ステップにおいて１画面モードの編集画面または２画面モードの編集画面の落書き入力領域に当該編集画面の落書き機能選択領域で選択された機能による落書き入力を実行することができる。
【００２１】
本発明において、上記１画面モードの編集画面は、上記落書き入力領域と上記落書き機能選択領域がそれぞれ１つずつ設けられ、上記２画面モードの編集画面は、上記落書き入力領域と上記落書き機能選択領域がそれぞれ２つずつ設けられている場合には、落書き入力が実行される可能性の高いレイアウトの編集画面が用意されるため、使用者の満足度を向上させることができる。また、それぞれの落書き入力領域に対応してそれぞれ落書き機能選択領域が設けられていることから、複数人で落書きを行なう場合にプレイの独立性が確保でき、操作性が向上する。
【００２２】
本発明において、上記編集ステップにおいて、使用者の操作により、上記編集画面選択ステップで選択された編集画面を当該編集画面とは別の編集画面に切り替える場合には、例えば、使用者は、編集画面のレイアウトが気に入らない場合や、途中で１人の使用者が編集プレイを終わらせたいが、他のユーザはまだ編集プレイをしていたい場合など、編集途中で使用者が編集画面のレイアウトを変更したいときに、その状況に対応した編集画面のレイアウトに切り替えることができる。
【００２３】
本発明において、上記編集画面選択ステップの実行に先立って使用者の人数を入力する入力ステップを備え、上記編集画面選択ステップでは、入力された使用者の人数に対応して設定された編集画面を選択する場合には、上記編集ステップにおいて人数に対応して設定されたレイアウトの編集画面で落書き入力を実行することができる。これにより、例えば、１組の使用者のいずれかが上記落書き入力領域や上記落書き機能選択領域が足りず落書き入力を実行し難いということを防止することができ、使用者の全員が満足のいく遊戯を提供することができる。
【００２４】
本発明において、上記編集画面選択ステップでは、入力された使用者の人数に応じた優先順に編集画面を上記表示手段に表示して使用者に選択入力を行なわせる場合には、使用者は、人数や編集形態に適した編集画面を選択し易くなり、効率的に素早く編集画面を選択することができる。これにより、例えば、使用者が人数や編集形態に適した編集画面を選び損ねることを防止することができ、使用者の遊戯に対する満足度を向上させることができる。
【００２５】
本発明において、上記表示手段を複数備え、上記複数の表示手段においてそれぞれ上記編集画面選択ステップおよび上記編集ステップを使用者に実行させる場合には、様々なレイアウトの編集画面を表示することができ、使用者は上記編集ステップにおいて人数や編集形態により一層適した編集画面で落書き入力を実行することができる。例えば、２つの表示手段が備えられた場合、２つの表示手段に２つずつ、すなわち４つの落書き入力領域を表示することができる。これにより、１つの表示手段に落書き入力領域を４つ表示するよりも、落書き入力領域を大きく表示することができ、複数の使用者で落書き入力を実行する際にそれぞれの使用者は落書き入力し易くなる。
【００２６】
本発明において、使用者が上記落書き機能選択領域で選択した落書き機能により上記落書き入力領域に入力するための複数の入力手段を備え、上記編集ステップにおいて、上記複数の入力手段のうちいずれかの入力手段からのいずれかの上記落書き入力領域への入力を制限する場合には、使用者がいずれかの入力手段でいずれかの上記落書き入力領域に落書き入力することを防止することができる。例えば、使用者が誤って他の使用者が落書き入力する落書き入力領域に落書き入力してしまうことを防止することができる。
【発明を実施するための最良の形態】
【００２７】
つぎに、本発明を実施するための最良の形態を説明する。
【実施例１】
【００２８】
図ｌは、本実施例における写真プリント提供装置の外観の具体例を示す図である。
【００２９】
この写真プリント提供装置は、大きく分けて撮影操作を行なう側の撮影側筐体１と、撮影後の画像にスタンプ画像やペンによる文字などの入力である編集操作（いわゆる「落書き」や「お絵描き」）を行なう側の編集側筐体２とを対にして備えている。
【００３０】
具体的には、図１に示すように、内側，外側，側面および内部に各種の装置が設けられた撮影側筐体１を備え、上記撮影側筐体１の内側（図１の左側，図２で見えている側）の撮影プレイ提供部で撮影プレイ（撮影操作）を行ない、外側（図１の右側，図３で見えている側）の編集プレイ提供部で撮影画像にスタンプ画像やペンによる文字などの入力である編集プレイ（編集操作）を行ない、撮影側筐体１の側面（図３で見えている側）で写真プリントの提供を受けるようになっている。このように、本実施例の写真プリント提供装置は、大きく分けて撮影プレイ提供部と編集プレイ提供部とを対にして備えている。
【００３１】
すなわち、本実施例における写真プリント提供装置は、撮影側の装置と編集側の装置に分かれ、それぞれが独立し、連携して機能しており、写真プリント提供装置の撮影側の装置を動作させるためのコンピュータ装置である撮影側コンピュータ装置１０１（図４参照）と、編集側の装置を動作させるためのコンピュータ装置である編集側コンピュータ装置１５１（図４参照）とを備えている。上記撮影側コンピュータ装置１０１と編集側コンピュータ装置１５１とは、直接あるいはネットワークハブ（図示せず）等を介してＬＡＮ（Ｌｏｃａｌ  Ａｒｅａ  Ｎｅｔｗｏｒｋ）ケーブル等により、データ転送可能に接続されている。
【００３２】
このような写真プリント提供装置において、撮影操作側の撮影側筐体１は、撮影側コンピュータ装置１０１（図４参照）などの各種機器類を収容し、編集操作側の編集側筐体２は、編集側コンピュータ装置１５１やプリンタ１２（図４参照）などの各種機器類を収容している。
【００３３】
被写体であるユーザ１５は、撮影側筐体１、パネル、フレーム材、サイドカーテン６ａ、および後述の背景装置５１で構成される撮影プレイ提供部を含む撮影スペースである撮影ブース４内に入り、撮影側筐体１に相対する向きで撮影プレイを行なう。撮影プレイが終了すると、ユーザ１５は、編集側筐体２、フレーム材、およびサイドカーテン６ｂで構成される編集プレイ提供部を含む編集スペースである編集ブース５３内に入り、編集側筐体２に相対する向きで編集プレイを行なう。そして、撮影、編集の一連のプレイによって得られた画像はシールなどの印刷媒体３５（図４参照）に印刷され、ユーザ１５に提供される。なお、以降の説明において、被写体がユーザ１５であるものとして説明するが、被写体はユーザ１５に限定されず、その他の物体であってもかまわない。また、被写体であるユーザ１５は、図１においては、１人であるものとして示されているが、複数のユーザ１５でプレイすることも可能である。
【００３４】
撮影ブース４の内部となるパネルの内面は、照明の反射による間接光を得ることを目的とする場合は白色、逆に光を吸収させたいときは黒色、クロマキー合成を行なう目的のときは青色等の色彩が施される。すなわち、パネルの内面の色は、写真プリント提供装置がどのような撮影を行なうかによって、設計開発時に適宜選ばれる。また、パネルは、布またはビニール材等で代替することもでき、その場合には、フレーム材にたるみなく張られた状態で固定される。
【００３５】
また、ユーザ１５が撮影ブース４内に出入りできるように、写真プリント提供装置の側面は開けられているが、撮影が妨げられないようにしたり、外部光を遮断するため等の理由で、その側面にサイドカーテン６ａが備えられている。なお、撮影ブース４への出入りが一方の側面のみである場合には、その側面にのみサイドカーテン６ａが備えられる。また、両側面から出入りできる場合には、両側面にサイドカーテン６ａが備えられていてもよい。ユーザ１５は、撮影を行なう際には、このサイドカーテン６ａを開けて撮影ブース４に入り、撮影時はサイドカーテン６ａを閉める。
【００３６】
編集側筐体２の内部に設けられたプリンタ１２（図４参照）は、撮影された画像を紙やシールや金属やプラスチック等の印刷媒体３５（図４参照）に印刷するためのプリンタであって、昇華型プリンタやサーモオートクローム方式（光定着型直接感熱記録方式）等のプリンタが一般的に用いられる。
【００３７】
なお、本実施例においては、プリンタ１２でシールが印刷されるものとして説明するが、上記印刷媒体３５はシールに限定されず、上記のような他の印刷媒体であっても同様の処理が実行される。
【００３８】
さらに、撮影ブース４内には、後で図２０〜図２２を参照して説明する背景装置５１が配備されている。
【００３９】
つぎに、図２を参照して、撮影ブース４について説明する。図２は、上述の撮影側筐体１を内面（撮影ブース４内方向）から見た具体例を示す。
【００４０】
図２に示すように、撮影側筐体１の内面（被写体であるユーザ１５と相対する面）には、複数の照明部１８ａ〜１８ｃとカメラ２１ａと複数のライブモニタ２４Ｌ，２４Ｒとパイロットランプ３２ａとを含んで構成される第１撮影部１９ａと、複数の照明部１８ａ〜１８ｃとカメラ２１ｂとライブモニタ２５Ｌ，２５Ｒとパイロットランプ３２ｂとを含んで構成される第２撮影部１９ｂと、デモンストレーション（以下、「デモ」と略す）音声、ＢＧＭおよび操作方法等のアナウンスを出力する撮影側スピーカ２３Ｌ，２３Ｒと、タッチパネルディスプレイ１１１と、対価である硬貨を投入するためのコイン投入口２６と、投入された不良硬貨等を排出するコイン返却口２７と、筐体内部の機器のメンテナンスなどを行なうときなどに開閉する開閉部であるフロントドア２８とが備えられる。
【００４１】
上記照明部１８ａ〜１８ｃは、蛍光灯などの照明装置３０やフラッシュ１１５（図４参照）などを内蔵し、被写体であるユーザ１５の照明を行なう。カメラ２１ａ，２１ｂは、撮像領域内のユーザ１５を含む被写体を撮影する撮影手段としての機能を果たす。ライブモニタ２４Ｌ，２４Ｒ，２５Ｌ，２５Ｒは、カメラ２１ａ，２１ｂで撮影された画像をリアルタイムに表示する。パイロットランプ３２ａ，３２ｂは、撮影しているカメラに応じて点灯、消灯、または点滅することで、現在どのカメラで撮影されているかをユーザ１５に報知する。
【００４２】
タッチパネルディスプレイ１１１は、デモ画面や、実行されるプレイ方法（コース）の選択などの選択肢を表示するとともに、上下左右に選択肢の選択を移動させるカーソルボタン、当該選択を決定する決定ボタン、および当該決定をキャンセルするキャンセルボタンを含んで構成される操作ボタンを適宜画像表示し、該操作ボタンの画像領域に、ユーザが指などで触れることにより、ユーザからの操作を受け付ける。
【００４３】
なお、上記タッチパネルディスプレイ１１１は、画像表示のみのモニタであってもよく、この場合は、上記のように画面に表示される操作ボタンに代えて、それらの操作ボタン対応する操作ボタンを撮影側筐体１の前面等のようにユーザ１５が操作可能な位置に別途設けてもよい。
【００４４】
上記照明部１８ａおよび照明部１８ｃの前面には、それぞれ側面から見ると撮影側筐体１の外側に凸の曲線状である乳白色のアクリル等からなる拡散板が配備されている。照明部１８ｂの前面には、平板または略平板の乳白色のアクリル等からなる拡散板が配備される。照明部１８ａは、撮影側筐体１の上部に向っていくにしたがって前方に突出し、照明部１８ｃは、撮影側筐体１の下部に向っていくにしたがって前方に突出し、照明部１８ｂは、照明部１８ａと照明部１８ｃとの間に位置する構造となっている。
【００４５】
上記照明部１８ａ〜１８ｃの光源としては、蛍光灯等の照明装置３０やフラッシュ１１５が用いられ、上記光源を乳白色のアクリル等からなる拡散板で覆って光源から照射された光を拡散させて被写体に照射することが行なわれている。上記拡散板は、できるだけ面積を大きくして撮影ブース４内をできるだけ均一に照明することが行なわれている。照明部１８ａ〜１８ｃ内のフラッシュ１１５は、カメラ２１ａ，２１ｂのシャッタ動作に同期して発光する。
【００４６】
上記カメラ２１ａで撮影されているライブ映像はリアルタイムにライブモニタ２４Ｌ，２４Ｒに表示され、上記カメラ２１ｂで撮影されているライブ映像はリアルタイムにライブモニタ２５Ｌ，２５Ｒに表示される。これにより、ユーザ１５は、撮影により得られる画像を確認することができる。カメラ２１ａ，２１ｂとしては、一般にデジタルカメラが用いられる。一般的なデジタルカメラで設定できる項目（たとえばシャッタスピード、絞り値、露出補正、ホワイトバランス等）の変更や撮影タイミングは、撮影側コンピュータ装置１０１（図４参照）から指示される。
【００４７】
上記ライブモニタ２４Ｌ，２４Ｒ，２５Ｌ，２５Ｒは、液晶ディスプレイにより構成され、カメラ２１ａ，２１ｂで撮影される画像をそれぞれリアルタイムに表示する。カメラ２１ａ，２１ｂで撮像された動画データは、カメラ２１ａ，２１ｂと接続する画像信号線または画像信号分配器等の画像信号分配手段によって、画像信号が複数のライブモニタ２４Ｌ，２４Ｒ，２５Ｌ，２５Ｒにそれぞれ分配される。これにより、ライブモニタ２４Ｌ，２４Ｒには、カメラ２１ａで撮影された撮像映像がリアルタイムで同時に同じ画像信号が供給され、画面表示され、ライブモニタ２５Ｌ，２５Ｒには、カメラ２１ｂで撮影された撮像映像がリアルタイムで同時に同じ画像信号が供給され、画面表示される。
【００４８】
さらに、撮影側筐体１の上面には、撮影側筐体１内部の熱を逃がすためのファン３１、外部装置への画像の配信、リモートメンテナンス等の外部装置と通信を行なうための通信ケーブルを差込むためのＬＡＮ（Ｌｏｃａｌ  Ａｒｅａ  Ｎｅｔｗｏｒｋ）ケーブル差込口等が備えられていることが好ましい。なお、上記ファンは、撮影側筐体１内部の熱を逃がす目的で備えられるものであるため、撮影側筐体１の上面に限定されず、熱を発生しやすい機器類の近傍等の他の場所に備えられてもよいし、複数備えられてもよい。また、ＬＡＮケーブル差込口が備えられる位置も、ケーブルの配線の取回しが容易な位置であれば撮影側筐体１の上面に限定されない。
【００４９】
つぎに、図３を参照して、編集ブース５３について説明する。図３は、撮影側筐体１を外側（お絵描きブース５３方向）から見た具体例を示す。
【００５０】
上記撮影側筐体１の外側の編集ブース５３は、編集側コンピュータ装置１５１やプリンタ１２（図４参照）等の各種機器類を収め、タブレットディスプレイ１３やタッチペン１４Ｌ，１４Ｒを配置した編集側の編集側筐体２と、撮影側の撮影側筐体１の背面に当たる部分に配置されている編集側スピーカ１６と、編集プレイのための照明をする照明部１８ｄと、フレーム材とサイドカーテン６ｂ（図１参照）とを含んで構成される。
【００５１】
上記編集側スピーカ１６は、ユーザ１５に対して操作方法の説明を音声で出力したり、音楽を出力する。上記サイドカーテン６ｂは、撮影ブース４と同様に編集ブース５３にも、順番待ちなどの他のユーザ１５に編集している場面を見られたくない等のユーザ１５の気持ちに配慮するためや、外部光を遮断するため等の目的で、側面および背面に備えられている。
【００５２】
上記編集側筐体２の上面には、撮影により得られた画像（撮影画像）を表示し、画像の編集を受け付けるタブレットディスプレイ１３と、画像入力を行なうための２つのタッチペン１４Ｌ，１４Ｒとが備えられる。
【００５３】
より詳しく説明すると、タブレットディスプレイ１３は、撮影画像、後述の記憶装置１５１ｂに記憶されたスタンプ画像やフレーム等の落書き画像（編集用画像）等を表示する。また、ユーザ１５より、後述の編集処理（図６のＳ１４）において、撮影により得られた画像に対してタッチペン１４Ｌ，１４Ｒを用いた落書き画像入力（落書き）を受け付ける。また、タブレットディスプレイ１３は、ユーザ１５が撮影画像に対する落書き入力する落書き入力領域７０（例えば、図１０参照）と、ユーザ１５が上記落書き入力領域に落書き入力するための落書き機能を選択する落書き機能選択領域７１（例えば、図１０参照）とを含む編集画面を表示する表示手段としての機能を有する。
【００５４】
なお、本実施例では、タブレットディスプレイ１３を１つだけ設けているが、後で図１９を参照して説明するように複数設けてもよい。
【００５５】
上記タッチペン１４Ｌ，１４Ｒは、ペン形状の入力装置であって、タブレットディスプレイ１３にタッチすることで、背景、スタンプ、フレーム等の画像や文字の入力、または使用する項目（ボタン）の選択、操作の選択等の入力をすることができる。すなわち、タッチペン１４Ｌ，１４Ｒは、ユーザ１５が落書き機能選択領域７１で選択した落書き機能により落書き入力領域７０に入力するための入力手段としての機能を果たす。このタッチペン１４Ｌ，１４Ｒは、写真プリント提供装置に複数備えられて同時に複数のユーザ１５からの入力操作を可能にしている。
【００５６】
なお、タッチペン１４Ｌ，１４Ｒは、後述の編集画面レイアウト選択処理（図６のＳ１３）で選択し得る落書き入力領域の数の最大数と同数配置されていることが望ましい。また、タッチペン１４Ｌ，１４Ｒは、それぞれ設置されている箇所の近傍のタブレットディスプレイ１３の表示領域にのみ対応していることが望ましいが、入力時のペン制御に関しては後に詳細を説明する。具体的には、本実施例における写真プリント提供装置は、後述の編集画面レイアウト選択処理（図６のＳ１３）において複数の編集画面の中から所定の編集画面を選択できるため、タッチペン１４Ｌ，１４Ｒがどの表示領域（例えば、図１０の落書き入力領域７０や落書き機能選択領域７１）に対応し編集し得るかは、ユーザ１５が選択した編集画面のレイアウトにあわせて、自動的に変更されることが望ましいが、これに限定されるものではなく、全てのタッチペン１４が編集画面の全ての領域を編集し得るように対応していてもよい。
【００５７】
上述のように、タブレットディスプレイ１３には、２本のタッチペン１４Ｌとタッチペン１４Ｒが備えられているが、それらのタッチペン１４Ｌ，１４Ｒには、後述のＣＰＵ１５１ａがいずれのタッチペンから入力されたかを識別するために、それぞれ識別情報を付加されている。本実施例では、タッチペン１４Ｌには、識別情報としてＩＤ＝１、タッチペン１４Ｒには識別情報としてＩＤ＝２が割り当てられている。
【００５８】
上記編集側筐体２の側面には、箱型の形状を奏したプリント取出口９が備えられる。プリンタ１２でプリントされた写真は、プリンタ１２から排出され、プリント取出口９に落とされる。プリント取出口９は、プリント取出口９に落とされた写真が、ユーザ１５が手にするまで地面に落ちない等の作用を奏するものであれば、その形状は限定されない。例えば、撮影側筐体１の内部方向に窪んだ箱状の空間と撮影側筐体１の側面に沿う方向に取りつけられた蓋とで形成されていてもよい。そして、ユーザ１５は、プリント取出口９よりプリントされた写真を取り出す。プリント取出ロ９付近には、印刷中ＬＥＤ（Ｌｉｇｈｔ  Ｅｍｉｔｔｉｎｇ  Ｄｉｏｄｅ）１０と印刷エラーＬＥＤ１１が備えられ、それらが点灯あるいは点滅することによって、ユーザ１５は、印刷中であるという状態、あるいは印刷中に用紙切れ、インク切れ、用紙詰り、メカニカルエラー等のエラーが発生しているという状態を知ることができる。
【００５９】
なお、本実施例の写真プリント提供装置は、撮影ブース４と編集ブース５３とに分かれて構成され、筐体はそれぞれの撮影側の撮影側筐体１と編集側の編集側筐体２とに分かれて構成されているが、このような構成に限定されるものではない。すなわち、本発明の作用効果を奏するものであれば、写真プリント提供装置は、撮影ブース４と編集ブース５３とが分かれて構成されていなくてもよく、同じスペースで撮影プレイ、編集プレイが順次行なわれてもよいし、撮影側の撮影側筐体１と編集側の編集側筐体２とが分かれて構成されていなくてもよく、１つの筐体に各種機器類が格納されていてもよい。
【００６０】
つぎに、図４を参照して、本実施例における写真プリント提供装置の機能について説明する。
【００６１】
図４に示すように、写真プリント提供装置（「本装置」という）は、外部からの電源の供給を入断する電源スイッチ２９と、本装置内部に設けられた各種機器に電源を供給する電源制御部１０３とを備える。電源制御部１０３は、外部から入力される電源電圧を安定させ各種機器に供給し、また、各種機器に必要な電圧に変換する制御を行なう。なお、図４では、電源制御部１０３は、照明装置３０、熱対策のためのファン３１、ＵＰＳ（Ｕｎｉｎｔｅｒｒｕｐｔｅｄ  Ｐｏｗｅｒ  Ｓｕｐｐｌｙ）１０４に接続されているが、その他電源を必要とするカメラ２１、プリンタ１２等にも接続されている。具体的には、カメラ２１やプリンタ１２等は、電源制御部１０３からＵＰＳ１０４を介して電源が供給される。
【００６２】
上記ＵＰＳ１０４を設けることで、停電等の突発的な電源切断の発生により、撮影側コンピュータ装置１０１や編集側コンピュータ装置１５１等の動作が不安定になり、本装置の故障の原因となりうることを防止することができる。すなわち、本装置には、常に電源が安定的に供給されている。
【００６３】
具体的には、ＵＰＳ１０４は、電源制御部１０３への電源が切断されても、しばらくの間、電源をバックアップするとともに、撮影側コンピュータ装置１０１や編集側コンピュータ装置１５１等に停電したことを示す停電信号を送信する。撮影側コンピュータ装置１０１や編集側コンピュータ装置１５１は、ＵＰＳ１０４から送信された停電信号に基づいて実行しているプログラムの終了処理を行ない、プログラムを正常に終了させる。また、ＵＰＳ１０４は、停電時には、電源を必要とする撮影側制御部１０２、編集側制御部１５３、その他の装置等にも電源を供給する。
【００６４】
上記撮影側コンピュータ装置１０１は、各種機器の制御を行なう演算装置であるＣＰＵ（Ｃｅｎｔｒａｌ  Ｐｒｏｃｅｓｓｉｎｇ  Ｕｎｉｔ）１０１ａと、装置を動作させるためのプログラム、そのプログラムで必要なグラフィックデータ、音声データ、撮影された画像（撮影画像）、およびその他の各種画像等を記憶する記憶装置１０１ｂと、プログラムの一時的な作業領域ともなるメモリ１０１ｃと、周辺機器を制御するためのソフトウェアであるドライバ１０１ｄと、ＬＡＮケーブルを介して外部機器と接続された場合に通信を行なう通信部１０１ｅとを含んで構成されている。
【００６５】
上記編集側コンピュータ装置１５１は、各種機器の制御を行なう演算装置であるＣＰＵ１５１ａと、装置を動作させるためのプログラム、そのプログラムで必要なグラフィックデータ、音声データ、撮影画像、撮影画像に合成するためのフレームや背景等の合成用画像、およびその他の各種画像等を記憶する記憶装置１５１ｂと、プログラムの一時的な作業領域ともなるメモリ１５１ｃと、周辺機器を制御するためのソフトウェアであるドライバ１５１ｄと、ＬＡＮケーブルを介して外部機器と接続された場合に通信を行なう通信部１５１ｅとを含んで構成されている。
【００６６】
なお、撮影側コンピュータ装置１０１および編集側コンピュータ装置１５１は、上述のような機能を備えているものであれば、例えばＰＣ（パーソナルコンピュータ）、ボードコンピュータ等であってもよく、その形態は問わない。また、コンピュータ装置、制御回路は、それぞれ２つで構成されているが、これに限定されるものでなく、それぞれ１つでも構わない。
【００６７】
上記撮影側コンピュータ装置１０１の記憶装置１０１ｂには、撮影側の動作を制御するプログラムが格納（記憶）されている。撮影側コンピュータ装置１０１は、このプログラムを読出して実行し、後述の撮影側の装置の制御をする。
【００６８】
一方、編集側コンピュータ装置１５１の記憶装置１５１ｂには、編集側の動作を制御するプログラムが格納されている。編集側コンピュータ装置１５１は、このプログラムを読出して実行し、後述の編集側の装置の制御をする。このようにすることにより、撮影側、編集側のそれぞれで並列にプレイをすることが可能になる。なお、電源スイッチ２９が操作され、本装置に電源プラグより電源が投入されると、撮影側コンピュータ装置１０１および編集側コンピュータ装置１５１の電源が投入され、それぞれのプログラムが自動で起動されて本装置が動作可能な状態となる。また、ＣＰＵ１５１ａは、後述の編集画面レイアウト選択処理（図６のＳ１３）と編集処理（図６のＳ１４）とを制御する制御手段としての機能も果たす。
【００６９】
つぎに、撮影側の各装置の機能について詳しく説明する。
【００７０】
撮影側コンピュータ装置１０１には、カメラ２１ａ，２１ｂ、ＵＰＳ１０４、タッチパネルディスプレイ１１１、編集側コンピュータ装置１５１および撮影側制御部１０２が接続されている。タッチパネルディスプレイ１１１は、ディスプレイにタッチパネルが積層され、実行されるプレイ方法（コース）の選択などの選択肢を表示すると共に、上下左右に選択肢の選択を移動させるカーソルボタンと、当該選択を決定する決定ボタンと、当該決定をキャンセルするキャンセルボタンとを含んで構成される操作ボタンや選択ボタンと、プレイ待機中のデモ画像、プレイ進行に応じた案内画像、選択画像等のユーザ１５に必要な画像を撮影側コンピュータ装置１０１のプログラムが指示した内容で適宜画面表示し、該操作ボタンや選択ボタンの画像領域に、ユーザ１５が指等で触れることにより、ユーザからの操作を受け付ける。
【００７１】
なお、タッチパネルディスプレイ１１１は、デモ画像、実行されるプレイ方法（コース）の選択などの選択肢を表示するのみであって、ユーザからの入力操作を受け付けないディスプレイであってもよい。この場合、切換ボタン、決定ボタン、キャンセルボタン等のボタンを含んで構成された操作部を撮影側筐体１の前面等のようにユーザ１５が操作可能な位置に設けユーザ１５からの入力を受け付けるようにしてもよい。また、タッチパネルディスプレイ１１１に替えて、タッチペンでの入力受け付け可能なタブレットディスプレイであってもよい。
【００７２】
カメラ２１ａ，２１ｂは、分配器２３を介してライブモニタ２４Ｌ，２４Ｒ，２５Ｌ，２５Ｒに接続されている。また、カメラ２１ａ，２１ｂは、フラッシュ制御部１１３にも接続されている。分配器２３は、カメラ２１ａから送信された映像信号をライブモニタ２４Ｌ，２４Ｒに送信し、カメラ２１ｂから送信された映像信号をライブモニタ２５Ｌ，２５Ｒに送信する。これにより、カメラ２１ａで撮像されている動画は、それぞれのライブモニタ２４Ｌ，２４Ｒに同時にライブ映像として表示され、カメラ２１ｂで撮像されている動画は、それぞれのライブモニタ２５Ｌ，２５Ｒに同時にライブ映像として表示される。
【００７３】
カメラ２１ａ，２１ｂは、撮影側コンピュータ装置１０１からＵＳＢ（Ｕｎｉｖｅｒｓａｌ  Ｓｅｒｉａｌ  Ｂｕｓ）ケーブル等の電気信号を送信可能なケーブルを介してシャッタ動作の指示を示すシャッタ動作信号を受信すると、フラッシュ１１５を発光させる旨の同期信号をフラッシュ制御部１１３に送信する。フラッシュ制御部１１３は、同期信号に基づいてカメラ２１ａ，２１ｂのシャッタ動作タイミングに同期してフラッシュ１１５を発光させる。これは、一般にＸ接点と呼ばれる同期方法である。そして、カメラ２１ａ，２１ｂは、被写体を撮像し、被写体の画像（静止画）である撮影画像を得る。カメラ２１ａ，２１ｂによって撮像された撮影画像は、カメラ２１ａ，２１ｂより取り出され、必要に応じて撮影側コンピュータ装置１０１内部の記憶装置１０１ｂにデータとして格納される。
【００７４】
なお、カメラ２１ａ，２１ｂは、無線で撮影側コンピュータ装置１０１と接続されていてもよい。すなわち、カメラ２１ａ，２１ｂで撮影される画像を無線で撮影側コンピュータ装置１０１に送信できるようにしてもよい。具体的には、カメラ２１ａ，２１ｂとして、いわゆるコンパクトフラッシュ（Ｒ）等の外部記録媒体を差込んでその外部記録媒体と画像データ等の情報を送受信するための差込口を有する一般的なデジタルカメラを用いる。そして、撮影側コンピュータ装置１０１と無線で送受信できる通信媒体が上記差込口に差し込まれることで、カメラ２１ａ，２１ｂで撮影される画像データ等の情報が上記通信媒体を介して撮影側コンピュータ装置１０１に送信可能になるようにしてもよい。
【００７５】
このようにすることで、カメラ２１ａ，２１ｂは、ＵＳＢ等の通信ケーブルを介することなく、直接、撮影側コンピュータ装置１０１とワイヤレスで通信が可能となる。これにより、カメラ２１ａ，２１ｂを自由に移動させることができ、写真プリント提供装置においてユーザ１５の撮影方法の自由度が高まる。さらに、撮影した画像をコンピュータ装置１０１の内部の記憶装置１０１ｂに直接保存することが可能になるため、カメラ２１ａ，２１ｂ側で撮影した画像を一旦メモリに保存するという処理工程を省くことができる。すなわち、撮影した画像を保存する一連の処理工程が短縮できるため、ユーザ１５の待ち時間を短縮することができる。
【００７６】
上記撮影側制御部１０２には、撮影側サービスパネル１０５、撮影側スピーカ２３Ｌ，２３Ｒ、背景装置５１、およびコイン制御部１０７が接続されている。
【００７７】
上記撮影側サービスパネル１０５は、投入されたコインの枚数をカウントするコインカウンタ、印刷されたプリントの枚数をカウントするプリントカウンタ、撮影側スピーカから出力する音声のボリュームを調整する音量調節つまみ、撮影側テストモードを行なうためのテストボタン、および対価を受け付けなくても装置が利用できるようにするためのサービスボタン等を備えるパネルであって、本装置の設置者等が各種設定やメンテナンスの操作を行なう際に用いられる。このため、撮影側サービスパネル１０５は、ユーザ１５が容易に操作することができないように、撮影側筐体１内部に設置される。
【００７８】
撮影側サービスパネル１０５は、テストボタンやサービスボタンが操作（押下）されたことを示す信号を撮影側制御部１０２に送信する。また、撮影側サービスパネル１０５は、撮影側制御部１０２からの送信された制御信号により、コインカウンタ、プリントカウンタを動作させる（例えば、カウンタを１インクリメントする）。また、撮影側サービスパネル１０５は、音量調節つまみで調整された音量信号を撮影側制御部１０２に対して出力する。これにより、撮影側コンピュータ装置１０１から撮影側制御部１０２を介して撮影側スピーカ２３Ｌ，２３Ｒに送信された音声信号は、撮影側サービスパネル１０５上の音量調節つまみで調整された音量で撮影側スピーカ２３Ｌ，２３Ｒから音として出力される。
【００７９】
ここで写真プリント提供装置の設置者とは、当該写真プリント提供装置を設置し営業を行なっている店舗等の経営者、管理者、および従業員、営業員等であり、営業中に、利用者に対応できるものを含む。
【００８０】
上記背景装置５１は、複数の多色集合ＬＥＤランプ４２（図２０〜図２２参照）を備える。それらの多色集合ＬＥＤランプ４２は、ＬＥＤランプ４１ａ，４１ｂ，４１ｃを有し、各ＬＥＤランプ４１ａ，４１ｂ，４１ｃの発光パターンによって背景を形成する。具体的には、背景装置５１は、撮影側コンピュータ装置１０１から撮影側制御部１０２を介して、発光パターン信号を受信し、その発光パターン信号に基づいて各ＬＥＤランプ４１ａ，４１ｂ，４１ｃを点灯または消灯させる。すなわち、撮影側コンピュータ装置１０１は、背景装置５１の表示を制御する背景制御手段としての機能を果たす。
【００８１】
上記コイン制御部１０７は、コイン投入口２６（図２参照）に投入されたコインの正当性を検出（判別）し、コインが正当なものであれば、コインが投入されたことを示すコイン投入信号を撮影側制御部１０２に送信する。また、コイン制御部１０７は、撮影側制御部１０２から送信される制御信号により、コイン投入口２６をブロック（閉鎖）したり、投入されたコインをコイン返却口２７（図２参照）に排出（対価受領拒否）し、コインの投入を受け付けないようにすることができる。さらに、本装置がコイン投入口２６に代えて対価の受付機能を備える場合（例えば、電子的に対価を受け付ける読取装置を備える場合）には、コイン制御部１０７は、上述の対価の受付機能により受け付けた対価の正当性を検出して、その対価が正当なものであれば、対価を受け付けたことを示す対価受領信号を撮影側制御部１０２に送信する。撮影側制御部１０２は、その対価受領信号を撮影側コンピュータ装置１０１に送信する。撮影側コンピュータ装置１０１は、撮影側制御部１０２から対価受領信号を受信して、プレイの開始等の所定の処理を実行する。
【００８２】
つぎに、編集側の各装置の機能について詳しく説明する。
【００８３】
編集側コンピュータ装置１５１には、タッチペン１４Ｌ，１４Ｒの入力を受け付けるタブレットディスプレイ１３、プリンタ１２、編集側制御部１５３、撮影側コンピュータ装置１０１およびＵＰＳ１０４が接続されている。
【００８４】
上記表示手段としてのタブレットディスプレイ１３は、撮影側コンピュータ装置１０１から受信した情報（カメラ２１で撮影された撮影画像、編集画像等の必要な表示画像）を編集側コンピュータ装置１５１のプログラムから指示された内容で出力して表示するとともに、タッチペン１４Ｌ，１４Ｒよりの入力を受け付ける機能を有する。すなわち、タブレットディスプレイ１３は、タッチペン１４Ｌ，１４Ｒでタッチされた位置を検出し、検出した位置に応じた指示信号を編集側コンピュータ装置１５１に送信する機能を有する。
【００８５】
なお、本実施例では、タブレットディスプレイ１３は、１台であるが複数台備えていてもよい。また、それに応じてタッチペン１４Ｌ，１４Ｒも同様にさらに設けてもよい。また、タッチペン１４Ｌ，１４Ｒは、後述の編集画面レイアウト選択処理（図６のＳ１３）で選択し得る落書き入力領域７０の数の最大数と同数配置されていることが望ましい。
【００８６】
上記プリンタ１２は、上記撮影画像と、上記編集画面の落書き入力領域７０に入力された落書き入力画像との合成画像等を紙やシール等の印刷媒体３５に写真プリントとして印刷出力するとともに、プリンタ１２の状態を編集側コンピュータ装置１５１に通知する。編集側コンピュータ装置１５１は、その状態に応じて編集側制御部１５３にプリンタ１２の状態を示すプリンタ情報信号を送出する。編集側制御部１５３は、編集側コンピュータ装置１５１から送信されたプリンタ情報信号に基づいて印刷中ＬＥＤ１０または印刷エラーＬＥＤ１１を点灯または点滅させる制御を行なう。
【００８７】
上記編集側制御部１５３には、編集側サービスパネル１５５、編集側スピーカ１６、印刷中ＬＥＤ１０、および印刷エラーＬＥＤ１１が接続されている。
【００８８】
上記編集側サービスパネル１５５は、編集側スピーカ１６から出力する音声のボリュームを調整する音量調節つまみ、編集側テストモードを行なうためのテストボタン等を備えるパネルであって、本装置の設置者等が各種設定やメンテナンスの操作を行なう際に用いられる。このため、編集側サービスパネル１５５は、ユーザ１５が容易に動作することができないように本装置内部に設置される。上記編集側サービスパネル１５５は、テストボタンが押下されたことを示すテストボタン操作信号を編集側制御部１５３に送信する。
【００８９】
また、編集側コンピュータ装置１５１から編集側制御部１５３を介して編集側スピーカ１６に出力された音声信号は、編集側サービスパネル１５５上の音量調節つまみで調整された音量で編集側スピーカ１６から出力される。
【００９０】
なお、本実施例においては、図４に示すように、本装置が２台のコンピュータ装置を含んで構成され、以降に説明する処理は、撮影側コンピュータ装置および編集側コンピュータ装置のＣＰＵがそれぞれのプログラムを実行することで行なわれるものとするが、本装置に含まれるコンピュータ装置の数は２台に限定されず、撮影側、編集側の処理を１台のコンピュータ装置で制御してもよいし、２台以上のコンピュータ装置で処理を適宜分散して制御してもよい。
【００９１】
つぎに、図５〜図７のフローチャートを参照して、上記写真プリント提供装置の動作の一例について説明する。ここで、図５〜図７において、「Ｓ」はステップを意味する。
【００９２】
図５は、撮影側コンピュータ装置１０１のＣＰＵ１０１ａの制御処理を示し、図６および図７は、編集側コンピュータ装置１５１のＣＰＵ１５１ａの制御処理を示す。
【００９３】
これらの処理は、各コンピュータ装置のＣＰＵが、記憶装置に記憶される各々のプログラム（撮影操作側のプログラムと編集操作側のプログラムと）をそれぞれのメモリに読出して並列的に実行する。これにより、各制御処理が並列的に行なわれ、撮影側、編集側で同時にプレイすることが可能になる。
【００９４】
まず、図５を参照して、撮影側コンピュータ装置１０１のＣＰＵ１０１ａの制御処理について説明する。
【００９５】
電源スイッチ２９が操作され、電源が投入されると、撮影側コンピュータ装置１０１のＣＰＵ１０１ａは、記憶装置１０１ｂに記憶されたプログラムを起動する。そして、撮影側コンピュータ装置１０１のＣＰＵ１０１ａは、撮影側コンピュータ装置１０１に接続されている各種機器が正常に動作可能な状態になっていると、ＣＰＵ１０１ａは、本装置の名称、特長、遊び方等の情報を表したデモ画面をタッチパネルディスプレイ１１１に表示するタイトルデモ処理を行なう（Ｓ１）。このとき、撮影側スピーカ２３Ｌ，２３Ｒから上記情報を音声で出力して案内してもよい。上記デモ画面や音声による案内（いわゆるタイトルデモ）により、ユーザ１５に本装置の利用を促す。
【００９６】
ついで、ＣＰＵ１０１ａは、デモ画面が表示されている状態で、撮影側サービスパネル１０５において、テストボタンが押されたか否かを判別する（Ｓ２）。ここで、テストボタンが押されたと判別すると（Ｓ２で“ＹＥＳ”）、Ｓ３に進み、テストボタンが押されていないと判別すると（Ｓ２で“ＮＯ”）、Ｓ４に進む。
【００９７】
テストボタンが押されると（Ｓ２で“ＹＥＳ”）、当該写真プリント提供装置のメンテナンスを行なうためのテストモードを起動する（Ｓ３）。このテストモードは、写真プリント提供装置の設置者等が写真プリント提供装置を操作するためのモードであり、このモードにおいては当該写真プリント提供装置の利用状況（例えば、コイン投入数等）の確認や、カメラ２１ａ，２１ｂ、プリンタ１２、サイドカーテン６ａ等の周辺機器の調整ができ、種々の設定を受け付ける。このテストモードを終了すると、Ｓ２に戻る。
【００９８】
また、上記テストモードでは、編集画面のレイアウトを設定できるようになっている。
【００９９】
具体的には、上記テストモードにおいては、本装置の設置者等の所定の操作（例えば、編集画面レイアウト設定ボタンの操作）により、図８に示す編集画面レイアウト設定画面が表示される。本装置の設置者等は、この編集画面レイアウト設定画面でユーザ１５が後述の編集画面レイアウト選択処理（図６のＳ１３）において選択しうる編集画面を任意に複数選択することができるようになっている。
【０１００】
より詳しく説明すると、図８は、上記編集画面レイアウト設定画面において、９つの編集画面のレイアウト例が表示され、その中から７つの編集画面のレイアウト例が選択されている状態を示す。ここで、選択された７つの編集画面のレイアウト例は、後述の編集画面レイアウト選択処理（図６のＳ１３）における編集画面レイアウト選択画面で表示される。ユーザ１５は、編集画面レイアウト選択処理（図６のＳ１３）において、その７つの編集画面のレイアウト例の中から編集画面のレイアウト例を任意に選択することができ、その選択した編集画面のレイアウト例と同じレイアウトの編集画面で編集プレイを行なうことができるようになっている。
【０１０１】
なお、編集画面レイアウト選択処理（図６のＳ１３）が行なわれない写真プリント提供装置であっても、上記テストモードにおいて、本装置の設置者等がユーザ１５に対して編集プレイを行なわせる編集画面を選択できるようにしてもよい。すなわち、前述の編集画面選択ステップとして、編集画面レイアウト選択処理（図６のＳ１３）に代えて上記テストモード（図５のＳ３）が採用される。
【０１０２】
具体的には、上記テストモードにおいて、本装置の設置者等の所定の操作により図９に示す編集画面レイアウト設定画面を表示する。そして、本装置の設置者等が、この編集画面レイアウト設定画面でユーザ１５が編集プレイを行なう編集画面を任意に選択することができるようにする。
【０１０３】
より詳しく説明すると、図９は、上記編集画面レイアウト設定画面において、９つの編集画面のレイアウト例が表示され、その中から１つの編集画面（左上の編集画面）のレイアウト例が選択されている状態を示す。ユーザ１５は、後述の編集処理（図６のＳ１４）において、その選択された１つの編集画面のレイアウト例と同じレイアウトの編集画面で編集プレイを行なうことができるようにする。
【０１０４】
これにより、例えば、２つの落書き入力領域７０を備える写真プリント提供装置において、２本のタッチペン１４Ｌ，１４Ｒのうち１本が壊れてしまい、片方のタッチペンしか使えないということがあった場合、そのまま写真プリント提供装置自体の運転を停止させてしまい、そのタッチペンを修理するまで収益があがらなくなってしまったり、写真プリント提供装置を運転させておくが、２つの落書き入力領域７０があるにもかかわらず、１本のタッチペンしか使用できないままに放置しておいて、ユーザ１５に対して迷惑をかけたり、不自然に思わせたりする等という問題を防止することができる。
【０１０５】
例えば、上記のような問題が発生した場合、上記テストモードにおいて、ユーザ１５が編集プレイを行なう編集画面を１画面の編集画面レイアウト（１画面モードの編集画面）に設定しておくことができるため、片方のタッチペンしか使えないという場合でもユーザ１５が上述のように不自然に感じ、顧客満足度が低下するというようなことを防止することができる。また、写真プリント提供装置の運転を停止させておく必要がないため、収益の低下を防止することができる。すなわち、写真プリント提供装置を設置した遊戯店や、写真プリント提供装置の状態や状況にあわせた設定が可能になる。
【０１０６】
図５に示すように、本装置は、このタイトルデモによる案内している間に対価の投入を受け付けるようになっている。ＣＰＵ１０１ａは、デモ画面が表示されている間にコイン制御部１０７から検出信号を受信し、所定の対価（例えば、４００円）を受け付けたか否かを判別する（Ｓ４）。ここで、対価を受け付けたと判別すると（Ｓ４で“ＹＥＳ”）、Ｓ５に進み、対価を受け付けていないと判別すると（Ｓ４で“ＮＯ”）、Ｓ１に戻る。
【０１０７】
所定の対価を受け付けると（Ｓ４で“ＹＥＳ”）、ＣＰＵ１０１ａは、撮影側コンピュータ装置１０１の記憶装置１０１ｂに記憶されたデータ（各種のガイダンスや撮影方法の案内を示す画像データ、およびサウンドデータ）を読出し、読出した画像データおよびサウンドデータをグラフィックＩ／Ｆ回路（図示していない）およびサウンドＩ／Ｆ回路（図示していない）に送信する。そして、タッチパネルディスプレイ１１１はグラフィックＩ／Ｆ回路から送信された画像信号を画像として表示し、スピーカ２３Ｌ，２３ＲはサウンドＩ／Ｆ回路から送信された音声信号を音として出力し、ユーザ１５に対して適宜、各種のガイダンス等の指示を出力し、撮影方法の案内する。そして、アンケート画面をタッチパネルディスプレイ１１１に表示し、ユーザ１５にアンケートを実施するアンケート選択処理を行なう（Ｓ５）。このアンケート選択処理では、ユーザ１５から使用者に関する情報を受け付ける。
【０１０８】
上記アンケート画面（アンケート選択の画面）は、撮影人数、好みの画質、髪の色、服装、肌の色、撮影したいシチュエーション、所望のＢＧＭ、所望の背景、編集プレイの熟練度および男女比等の使用者に関する情報を選択可能に提示し、それらの選択を受け付ける画面である。アンケート画面では、ユーザ１５は、各アンケート項目を表示する各選択画面（例えば、後述の撮影人数選択画面）に沿って、その選択画面に表示される選択領域（ボタン）の中から、アンケートの答えに該当する選択領域をタッチしてアンケートに答えるようになっている。なお、アンケート画面に提示される使用者に関する情報は、上記のような情報に限定されるものではない。
【０１０９】
ここで、上記選択画面として撮影人数を選択させる撮影人数選択画面をタッチパネルディスプレイ１１１に表示し、ユーザ１５に対して撮影するユーザ１５の人数を選択させる場合について説明する。
【０１１０】
まず、撮影側コンピュータ装置１０１は、上記撮影人数選択画面をタッチパネルディスプレイ１１１に表示させ、ユーザ１５から使用者に関する情報としての撮影人数の選択を受け付ける。撮影人数選択画面では、ユーザ１５に対して撮影するユーザ１５の人数を選択可能に提示される。そして、ユーザ１５は、撮影人数選択画面に沿ってタッチパネルディスプレイ１１１の画面上の該当する人数に対応する選択領域（ボタン）をタッチ（決定）するようになっている。
【０１１１】
上記選択領域をタッチされると、撮影側コンピュータ装置１０１のＣＰＵ１０１ａは、タッチパネルディスプレイ１１１から受信した信号に基づいて撮影側制御部１０２を介して照明装置３０に対して制御信号を送信し、撮影する人数に応じて照明部１８ａ〜１８ｂの照明の設定を変更する。例えば、撮影する人数が多ければ照明の光量を増やし、撮影する人数が少なければ、光量を減らすようにして、被写体に適度な光が照射されるように照明の設定を変更する。
【０１１２】
このため、撮影する人数に応じて好適な、より美しい撮影が実現できる。また、ここで受け付けた撮影人数を記憶装置１０１ｂに記憶し、後で説明する編集画面レイアウト選択処理（図６のＳ１３）でレイアウトを選択するときの編集画面レイアウト選択画面や、シール分割のレイアウトを選択するときのシールレイアウト選択画面のレイアウト（構成）を人数に対応して変更することが好ましい。
【０１１３】
すなわち、本発明において、上記編集画面レイアウト選択処理（図６のＳ１３）の実行に先立ってユーザ１５の人数を入力する入力ステップであるアンケート選択処理（図５のＳ５）を備え、上述のように、上記編集画面レイアウト選択処理（図６のＳ１３）では、入力されたユーザ１５の人数に対応して設定された編集画面を選択するようにすることで、上記編集処理（図６のＳ１４）において人数に対応して設定されたレイアウトの編集画面で落書き入力を実行することができる。これにより、例えば、１組のユーザ１５のいずれかが上記落書き入力領域７０や上記落書き機能選択領域７１が足りず落書き入力を実行し難いということを防止することができ、ユーザ１５の全員が満足のいく遊戯を提供することができる。
【０１１４】
上記アンケート選択処理（Ｓ５）では、アンケート選択時間に時間制限が設けられている。すなわち、ユーザ１５がアンケートの選択操作を規定時間内で行なうように設定されている。また、アンケート選択画面には、ユーザ１５が選択操作可能な残り時間が表示されるようになっている。この残り時間がなくなると、現在選択されている選択肢が決定され、自動的に次の処理（本実施例では、Ｓ６）へ進むようになっている。以降の説明においても、特に説明しない限り、残り時間の表示が上述と同様に行なわれる。
【０１１５】
上記アンケート選択処理（Ｓ５）においてのユーザ１５によるアンケートの選択結果は、撮影プレイに反映されるようになっている。このアンケートの選択結果は、１回のプレイにおける全ての撮影について用いられてもよい。また、撮影ごとに上記アンケート選択処理（Ｓ５）を行なって、ユーザ１５によるアンケートの選択操作が行なわれてもよい。アンケートの選択操作を撮影ごとに行なうことにより、ユーザ１５は、１回のプレイで違ったタイプの画像を写真プリントとして得ることができ、遊戯に対しての満足度が向上する。
【０１１６】
上記アンケート選択処理（Ｓ５）が終了すると、ＣＰＵ１０１ａは、カメラ２１ａ，２１ｂで被写体であるユーザ１５を撮影する撮影処理を行なう（Ｓ６）。この撮影処理では、撮影側コンピュータ装置１０１のＣＰＵ１０１ａは、カメラ２１ａまたはカメラ２１ｂが取得する撮像映像を、ライブモニタ２４Ｌ，２４Ｒまたはライブモニタ２５Ｌ，２５Ｒにリアルタイムに表示する。撮像映像が各ライブモニタにリアルタイムに表示されることで、ユーザ１５は、各ライブモニタに表示される画像を見ながら、好みの表情やポーズをとることができる。なお、ここでは、カメラ２１ａ，２１ｂが取得した画像をそのまま各ライブモニタに表示してもよいし、左右に反転処理して表示してもよい。左右に反転処理して表示した場合、ユーザ１５の姿を鏡に写す方向と同じ方向で各ライブモニタに表示することができる。そのため、ユーザ１５は、各ライブモニタを見ながら好みの表情やポーズをとることが容易になる。
【０１１７】
撮影側コンピュータ装置１０１は、カメラ２１ａ，２１ｂに撮影信号を送信し、カメラ２１ａ，２１ｂがその撮影信号に応じてシャッタを切ることで、カメラ２１ａ，２１ｂから撮影側コンピュータ装置１０１の記憶装置１０１ｂに静止画像が取込まれる。カメラ２１ａ，２１ｂの撮影タイミングは、撮影側コンピュータ装置１０１が動作プログラムにしたがって所定のタイミングで自動的に撮影信号をカメラ２１ａ，２１ｂに送信し、時間経過と共に「３、２、１」などのカウントダウンをタッチパネルディスプレイ１１１あるいはスピーカ２３Ｌ，２３Ｒに出力してユーザ１５に報知されるようにしてもよい。
【０１１８】
また、タッチパネルディスプレイ１１１に表示される撮影画面（ライブ映像）を見ながら任意のタイミングでユーザ１５がタッチパネルディスプレイ１１１に表示される撮影ボタン（具体的には、タッチパネルディスプレイ１１１上の撮影ボタン領域）にタッチすることで、撮影側コンピュータ装置１０１が指示信号を受信し、指示信号を受信したタイミングで撮影信号をカメラ２１ａ，２１ｂに送信してもよい。このシャッタ動作によってカメラ２１ａ，２１ｂからの撮影画像が固定され、記憶装置１０１ｂに記憶される。
【０１１９】
また、シャッタ動作のタイミングと同期して、タッチパネルディスプレイ１１１の画面を白色に変化させる。具体的には、撮影側コンピュータ装置１０１は、カメラ２１ａ，２１ｂに撮影信号を送信すると略同時期に、タッチパネルディスプレイ１１１が画面に白色を表示するようにタッチパネルディスプレイ１１１を制御する。本実施例において、タッチパネルディスプレイ１１１は、ユーザ１５の正面のカメラ２１ａ，２１ｂの下側に配置されているため、正面部分（タッチパネルディスプレイ１１１の画面）が白色に変わることによってハイキーな画像（撮影画像）が得られるという効果がある。
【０１２０】
図５に示すように、撮影処理（Ｓ６）を終了すると、ＣＰＵ１０１ａは、規定回数の撮影が終了したか否かを判別する（Ｓ７）。ここで、規定回数の撮影が終了していると（Ｓ７で“ＹＥＳ”）、Ｓ８に進み、規定回数の撮影が終了していないと（Ｓ７で“ＮＯ”）、Ｓ６に戻り、撮影処理（Ｓ６）を繰返して行なう。
【０１２１】
規定回数の撮影が終了すると（Ｓ７で“ＹＥＳ”）、ＣＰＵ１０１ａは、キープ画像選択処理（Ｓ８）を行なう。このキープ画像選択処理は、複数の撮影画像の中から以降の編集処理（図６のＳ１４）で用いる撮影画像（キープ画像）を選択するための写真選択画面をタッチパネルディスプレイ１１１に表示し、ユーザ１５より規定枚数（例えば、４枚）の選択を受け付けて、その選択された画像をキープ画像とする。
【０１２２】
キープ画像選択処理（Ｓ８）では、ユーザ１５は、タッチパネルディスプレイ１１１に表示される写真選択画面において、一覧で表示される複数の撮影画像に対応する選択領域にタッチして選択を行なう。具体的には、写真選択画面において、撮影画像がいわゆるサムネイル画像として選択可能に表示され、ユーザ１５は、その中から所望のキープ画像をタッチパネルディスプレイ１１１の画面上のサムネイル画像をタッチして選択するようになっている。
【０１２３】
上記キープ画像が選択され、ユーザ１５の操作または時間制限に応じて撮影プレイが終了すると、タッチパネルディスプレイ１１１に「編集側に移動してください」等の案内を表示し、ユーザ１５を編集操作側（編集ブース５３）に案内する。このとき、例えば、編集操作側で他のユーザ１５が操作している等のように編集操作側で直ちに編集操作を行なうことが不可能な場合には、撮影プレイを終了する前にタッチパネルディスプレイ１１１を用いてユーザ１５に対してミニゲームを行なわせることが好ましい。また、ミニゲームに限定されず、案内表示やお絵描きの操作ヘルプ表示等の遊戯に関する情報をタッチパネルディスプレイ１１１に表示し、ユーザ１５の待ち時間を退屈させないようにすることが好ましい。
【０１２４】
１組のユーザに対しての撮影操作側での処理が終了し、撮影操作側から編集操作側に移ると、上記案内表示を終了し、Ｓ１に戻る。すなわち、再びタッチパネルディスプレイ１１１にデモ画面を表示し、次のユーザ１５を待機する。また、本発明の写真プリント提供装置のようにコンピュータ装置が２台含まれる場合には、撮影操作側のコンピュータ装置１０１は、上述の撮影操作側の処理で得られたキープ画像を編集操作側のコンピュータ装置１５１に対して送信する。これらのキープ画像は、適宜、編集側コンピュータ装置１５１の記憶装置１５１ｂに記憶される。
【０１２５】
つぎに、図６を参照して、編集側コンピュータ装置１５１のＣＰＵ１５１ａの制御処理について説明する。
【０１２６】
撮影側コンピュータ装置１０１と同様に、編集側コンピュータ装置１５１のプログラムが起動されると、ＣＰＵ１５１ａは、編集側コンピュータ装置１５１に接続されている各種機器が正常に動作可能か否かをチェックする。正常に動作可能であれば、ＣＰＵ１５１ａは、タブレットディスプレイ１３にユーザ１５に利用を待機させるための待機画面を表示する（Ｓ１１）。
【０１２７】
撮影側コンピュータ装置１０１から送信されたキープ画像の準備が完了すると、ＣＰＵ１５１ａは、タブレットディスプレイ１３に明るさ調整画面を表示し、ユーザ１５にキープ画像の色調を調整する操作を提供する明るさ調整処理を行なう（Ｓ１２）。明るさ調整処理では、ユーザ１５は、タッチペン１４Ｌ，１４Ｒを用いて、キープ画像を好みの色調の画像に調整することができる。
【０１２８】
ここで、明るさ調整は、画像の明るさだけを調整するのでなく、例えば、彩度、濃度、色合い等の画像に係わる色調を調整することを含み、さらに、特定の色（例えば、ユーザ１５の肌の色や髪の色）のみの色調を補正する等の写真プリント提供装置特有の画像処理を施すことも含む。
【０１２９】
明るさ調整画面には、キープ画像選択処理（図５のＳ８）で選択された各キープ画像を明るさ調整可能に表示するキープ画像表示領域と、各キープ画像の明るさ調整の操作を行なうための明るさ調整ボタンを表示する明るさ調整領域とが含まれる。このような明るさ調整の画像処理には、時間がかからないようにするため、明るさ調整画面の表示に先だって、上記明るさ調整ボタンに対応した画像処理を施した画像を予め作成してメモリに記憶させ、その画像処理を施した画像の中からユーザ１５に選択させるようにすることが好ましい。このようにすることで、ユーザ１５がボタンを押してから画像が切り替わるまでの時間を短縮でき、操作性をよくすることができる。なお、明るさ調整処理（Ｓ１２）での明るさ調整処理は、撮影操作側での操作によって、撮影処理（図５のＳ６）のアンケート選択処理において実行されてもよい。
【０１３０】
明るさ調整処理（Ｓ１２）が終了すると、ＣＰＵ１５１ａは、編集画面レイアウト選択処理を行なう（Ｓ１３）。この編集画面レイアウト選択処理では、ユーザ１５に対して上記落書き入力領域７０および／または上記落書き機能選択領域７１のレイアウトが異なる複数種類の編集画面の中から所定の編集画面を選択させるようになっている。具体的には、タブレットディスプレイ１３に編集画面のレイアウトを選択する編集画面レイアウト選択画面を表示し、ユーザ１５から編集画面のレイアウトの選択を受け付ける。これにより、ユーザ１５は、レイアウトの異なる複数の編集画面（例えば、後で図１０を参照して説明する第１編集画面７２ａ、第２編集画面７２ｂ、第３編集画面７２ｃ、第４編集画面７２ｄ）の中から任意に編集画面を選択することができるようになっている。
【０１３１】
図１６に示すように、編集画面は主に、キープ画像を表示して選択可能にする画像選択領域６９と、これらの画像選択領域６９に表示されるキープ画像の中から選択されたキープ画像を編集対象画像として表示し、ユーザ１５が編集入力（いわゆるお絵描き）をするための作業領域である落書き入力領域７０と、いわゆるお絵描きパレットと言われている編集ツールを選択するための選択領域である落書き機能選択領域７１とで構成される。この構成は、もちろん一例であって限定するものではない。
【０１３２】
図１０に示すように、上記編集画面レイアウト選択画面には、ユーザ１５が撮影画像に対する落書き入力する落書き入力領域７０の数が異なる編集画面、ユーザ１５が上記落書き入力領域に落書き入力するための落書き機能を選択する落書き機能選択領域７１の配置や数が異なる編集画面、画像選択領域６９におけるキープ画像の選択方法が異なる編集画面（図示していない）、後述の編集ヒントウィンドウの大きさが異なる編集画面（図示していない）等の編集画面が複数表示され、その中からユーザ１５が所定の編集画面を選択できるように、ユーザ１５による編集画面の選択を受け付ける。
【０１３３】
また、上記編集画面レイアウト選択画面には、ユーザ１５が上記所定の編集画面を選択できる時間（制限時間）を表示する残り時間表示領域７５と、ユーザ１５が編集画面レイアウト選択処理（図６のＳ１３）を強制的に終了させるための「決定」ボタン７３が表示されている。これにより、例えば、ユーザ１５によって「決定」ボタン７３が押されなくても残り時間が“０”になることで次の処理に進むようになっている。一方、残り時間が“０”になっていなくてもユーザ１５によって「決定」ボタン７３が押されることでも次の処理（本実施例では、編集処理）に進むようになっている。
【０１３４】
１人のユーザ１５が複数のキープ画像に対して１つずつ落書きするのに好適な編集画面のレイアウト例は、落書き入力領域７０が１つと、落書き機能選択領域７１が１つとで構成されている第１編集画面７２ａである。また、１人のユーザ１５が複数の画像を並行して落書きするのに好適な編集画面のレイアウト例は、落書き入力領域７０が２つと、落書き機能選択領域７１が１つとで構成されている第２編集画面７２ｂである。また、複数のユーザが同一の画像を落書きするのに好適な編集画面のレイアウト例は、落書き入力領域７０が１つと、落書き機能選択領域７１が複数とで構成されている第３編集画面７２ｃである。また、複数のユーザ１５が別々の画像を落書きするのに好適な編集画面のレイアウト例は、落書き入力領域７０が複数と、落書き機能選択領域７１が複数とで構成されている第４編集画面７２ｄである。
【０１３５】
上記第１編集画面７２ａには「１人で１枚ずつらくがき」と表示され、第２編集画面７２ｂには「１人で同時にたくさんらくがき」と表示され、第３編集画面７２ｃには「みんなで同じ写真にらくがき」と表示され、第４編集画面７２ｄには「みんなで別々にらくがき」と表示されている。このような表示を行なうことにより、ユーザ１５に対して人数や編集形態に合った好適なレイアウトの編集画面を選択させることができる。
【０１３６】
また、上記編集画面のレイアウト例は、ユーザ１５にとってわかりやすい図柄とわかりやすい言葉で表現しておき、ユーザ１５が所定の編集画面を選択しやすいようにしておくことが好ましい。ユーザ１５が編集画面レイアウト選択画面の「次へ」ボタン７６にタッチすると、次のページの第２の編集画面レイアウト選択画面が表示され、さらに違うパターンのレイアウトの編集画面が表示されるようになっている。すなわち、編集画面レイアウト選択処理においては、最初に第１の編集画面レイアウト選択画面が表示され、「次へ」ボタン７６がタッチされると、第２の編集画面レイアウト選択画面、第３，第４…の編集画面レイアウト選択画面が表示されるようになっている。このように、編集画面レイアウト選択処理においては、複数の編集画面レイアウト選択画面の中から所定の編集画面レイアウト選択画面を表示し、その所定の編集画面レイアウト選択画面の中から所定の編集画面を選択するようになっている。
【０１３７】
すなわち、上記複数種類の編集画面は、少なくとも落書き入力領域７０の数が異なる複数種類のレイアウトの編集画面を含み、上記編集画面レイアウト選択処理（図６のＳ１３）では、落書き入力領域７０の数が異なる複数種類の編集画面から、落書き入力領域７０の数が適切な編集画面を選択する。これにより、落書き入力領域７０の数が適切な編集画面が、例えばユーザ１５の人数に対応した数の落書き入力領域７０を有する場合、ユーザ１５は、それぞれ１つの落書き入力領域７０を専有して落書き入力することができる。また、落書き入力領域７０の数が適切な編集画面が、例えば上記編集形態に対応した数の落書き入力領域７０を有する場合、人数よりも多いあるいは人数よりも少ない数の落書き入力領域７０に落書き入力したいユーザ１５の編集形態に対応することができる。
【０１３８】
上記編集画面のレイアウトは、上述のような構成に限定されるものではなく、各構成要素（落書き入力領域７０や落書き機能選択領域７１等を含む）の配置が異なるもの、キープ画像の選択方法が異なる（すなわち、画像選択領域６９が異なる）もの、後述の編集ヒントウィンドウ８３の異なるもの等の編集画面が複数種類用意される。例えば、キープ画像の選択方法は、１つの落書き入力領域７０に対して全てのキープ画像の選択を可能にする方法や、複数の落書き入力領域７０がある場合、複数の落書き入力領域７０のそれぞれに対して、任意のキープ画像を割り当てる方法等がある。このようなキープ画像の選択方法も含めて様々な編集画面レイアウトの構成を提示することが望ましい。
【０１３９】
このようにすることにより、本発明の写真プリント提供装置で遊戯するユーザ１５は、その人数や編集態様に好適な編集画面のレイアウトを選択し得る。また、ユーザ１５は、編集プレイを行ないたくないユーザ１５がいる場合等の状況にあわせて、好適な編集画面を選択できる。例えば、編集プレイを行ないたくないユーザ１５の落書き入力領域７０や落書き機能選択領域７１が表示されないレイアウトの編集画面を選択することで、他のユーザ１５は、編集入力を効率的に行なうことができるとともに、ユーザ１５全員の満足度を向上させることができる。
【０１４０】
また、撮影側におけるアンケート選択処理（図５のＳ５）においては、プレイする人数を選択することができるようになっているが、このプレイする人数に好適な編集画面のレイアウトを編集画面レイアウト選択画面に優先的に表示してもよい。この場合、ＣＰＵ１５１ａは、撮影側コンピュータ装置１０１から送信された撮影人数を編集側コンピュータ装置１５１の記憶装置１５１ｂから読出すことにより、プレイする人数に好適な編集画面のレイアウトを編集画面レイアウト選択画面に優先的に表示する。上記優先的に表示とは、第１の編集画面レイアウト選択画面内に表示することを含む。
【０１４１】
すなわち、上記編集画面レイアウト選択処理（図６のＳ１３）では、入力された使用者の人数に応じた優先順に編集画面を上記タブレットディスプレイ１３に表示してユーザ１５に選択入力を行なわせる。これにより、ユーザ１５は、人数や編集形態に適した編集画面を選択し易くなり、効率的に素早く編集画面を選択することができる。これにより、例えば、ユーザ１５が人数や編集形態に適した編集画面を選び損ねることを防止することができ、ユーザ１５の遊戯に対する満足度を向上させることができる。
【０１４２】
また、タブレットディスプレイ１３が複数台設置されている場合も、各々のタブレットディスプレイ１３において、ユーザ１５が所望の編集画面を選択できるようにしてもよい。このようにすることにより、タブレットディスプレイ１３全体として、様々な種類の編集画面の組合せが可能である。
【０１４３】
例えば、図１１に示すように、タブレットディスプレイ１３を２台設置した場合には、図示のような編集画面レイアウト選択画面が表示される。なお、上述のように、編集画面レイアウト選択画面には、残り時間表示領域７５と「決定」ボタン７３が表示されているが、図において編集画面レイアウト選択画面は、残り時間表示領域７５と「決定」ボタン７３を省略して示している。
【０１４４】
図１１（ａ）は、各タブレットディスプレイ１３において同じ編集画面レイアウト選択画面が表示されている様子を示す。図１１（ｂ）は、図示の左側のタブレットディスプレイ１３に編集画面レイアウト選択画面が表示され、右側のタブレットディスプレイ１３に「編集画面をもうひとつのディスプレイで選んでね」と表示され、ユーザ１５に対して左側のタブレットディスプレイ１３で編集画面を選択するように促している様子を示す。なお、図１１（ａ）に示すように、それぞれのタブレットディスプレイ１３でそれぞれ所望の編集画面を選択するようにしてもよいし、図１１（ｂ）に示すように、１つのタブレットディスプレイ１３で一括して編集画面を選択するようにしてもよい。また、アンケート選択処理（図５のＳ５）においてユーザ１５に編集画面を選択させるようにしてもよい。
【０１４５】
つぎに、図１２を参照して、タブレットディスプレイ１３を２台設置した場合に表示する編集画面のレイアウト例について説明する。
【０１４６】
図１２（ａ）は、両方のタブレットディスプレイ１３に落書き入力領域７０がそれぞれ１つずつ表示されている例である。すなわち、落書き入力領域７０が１つあるレイアウトの編集画面は、１画面モードの編集画面である。図１２（ｂ）は、片方のタブレットディスプレイ１３に落書き入力領域７０を１つ設け、他方のタブレットディスプレイ１３に落書き入力領域７０が２つあるレイアウトを選択した場合の編集画面の例である。すなわち、落書き入力領域７０が２つあるレイアウトの編集画面は、２画面モードの編集画面である。図１２（ｃ）は、両方のタブレットディスプレイ１３に２画面モードの編集画面が表示されている例である。もちろんこのレイアウトに限定されるものではない。
【０１４７】
すなわち、上記タブレットディスプレイ１３を複数備え、上記複数のタブレットディスプレイ１３においてそれぞれ上記編集画面レイアウト選択処理（図６のＳ１３）および上記編集処理（図６のＳ１４）をユーザ１５に実行させるようになっている。これにより、様々なレイアウトの編集画面を表示することができ、ユーザ１５は上記編集処理（図６のＳ１４）において人数や編集形態により一層適した編集画面で落書き入力を実行することができる。また、図１２（ｃ）に示すように、２つのタブレットディスプレイ１３が備えられた場合、２つのタブレットディスプレイ１３に２つずつ、すなわち４つの落書き入力領域７０を表示することができる。これにより、１つのタブレットディスプレイ１３に落書き入力領域７０を４つ表示するよりも、落書き入力領域７０を大きく表示することができ、複数のユーザ１５で落書き入力を実行する際にそれぞれのユーザ１５は落書き入力し易くなる。
【０１４８】
また、上記編集画面レイアウト選択処理（図６のＳ１３）では、上記落書き入力領域７０が１つ設けられた１画面モードの編集画面と、上記落書き入力領域７０が２つ設けられた２画面モードの編集画面とのうち適切な編集画面を選択するようになっている。これにより、ユーザ１５は、上記編集処理（図６のＳ１４）において１画面モードの編集画面または２画面モードの編集画面の落書き入力領域７０に当該編集画面の落書き機能選択領域７１で選択された機能による落書き入力を実行することができる。
【０１４９】
具体的には、上記１画面モードの編集画面は、上記落書き入力領域７０と上記落書き機能選択領域７１がそれぞれ１つずつ設けられ、上記２画面モードの編集画面は、上記落書き入力領域７０と上記落書き機能選択領域７１がそれぞれ２つずつ設けられている。これにより、落書き入力が実行される可能性の高いレイアウトの編集画面が用意されるため、ユーザ１５の満足度を向上させることができる。また、それぞれの落書き入力領域７０に対応してそれぞれ落書き機能選択領域７１が設けられていることから、複数人で落書きを行なう場合にプレイの独立性が確保でき、操作性が向上する。
【０１５０】
また、このようにすることにより、ユーザ１５が編集態様等の遊戯状況にあわせて所望の編集画面を選択でき、１台のタブレットディスプレイ１３で編集するよりも画面が大きく表示されるため、複数のユーザ１５で編集する際に編集し易くなる。
【０１５１】
なお、上述のように、２台のタブレットディスプレイ１３を設置するときにタブレットディスプレイ１３の間隔が狭いと、４人以上で編集する際には、真中の位置に立つユーザ１５が、編集しづらくなることを防止するため、２台のタブレットディスプレイ１３の間は４人がゆとりを持てる程度の間隔があいていることが望ましい。
【０１５２】
また、図１３に示すように、編集画面においては、編集画面のレイアウトを切り替えることを可能とするための編集画面切替ボタン８０を画面に構成している。
【０１５３】
図１３に示すように、編集側コンピュータ装置１５１のＣＰＵ１５１ａは、タブレットディスプレイ１３に表示された編集画面切替ボタン８０がタッチペン１４Ｌ，１４Ｒでタッチされると（タブレットディスプレイ１３の画面のうち編集画面切替ボタン８０が表示されている表示領域がタッチペン１４Ｌ，１４Ｒによってタッチされたという指示信号を受け付けると）、編集画面レイアウト選択画面をタブレットディスプレイ１３に表示し、ユーザ１５による編集画面の選択を受け付ける。ユーザ１５によって、編集画面の選択が行なわれると、該選択した編集画面をタブレットディスプレイ１３に表示するようになっている。なお、編集画面切替ボタン８０がタッチされる毎に、次々にレイアウトの異なった編集画面に切り替わるようにしてもよい。
【０１５４】
すなわち、ＣＰＵ１５１ａは、上記編集ステップにおいて、ユーザ１５の操作（本実施例では、ユーザ１５がタッチペン１４Ｌ，１４Ｒで編集画面切替ボタン８０をタッチすること）により、上記編集画面レイアウト選択処理（図６のＳ１３）で選択された編集画面を当該編集画面とは別の編集画面に切り替えるようになっている。これにより、例えば、ユーザ１５は、編集画面のレイアウトが気に入らない場合や、途中で１人のユーザ１５が編集プレイを終わらせたいが、他のユーザはまだ編集プレイをしていたい場合など、編集途中でユーザ１５が編集画面のレイアウトを変更したいときに、その状況に対応した編集画面のレイアウトに切り替えることができる。このように、ユーザ１５は、プレイ人数や編集形態に合わせて編集画面を変更することができるため、効率よく編集プレイを行なうことができる。
【０１５５】
なお、編集画面は、ユーザ１５によって選択されるようになっているが、これに限定されるものではなく、ＣＰＵ１５１ａによって自動的に選択されるようにしてもよい。この場合、例えば、ＣＰＵ１５１ａは、キープ画像選択処理（図５のＳ８）において選択されたキープ画像の枚数に応じたレイアウトの編集画面を自動的に選択するようにしてもよい。
【０１５６】
ここで、図１４を参照して、キープ画像選択処理（図５のＳ８）において選択されたキープ画像の枚数に応じて、編集画面を自動的に選択するようにした場合について説明する。図示のＡ〜Ｆは、それぞれ撮影処理（図５のＳ６）において撮影された画像（撮影画像）を示す。
【０１５７】
図１４（ａ）に示すように、撮影処理（図５のＳ６）においてユーザ１５によりキープ画像が選択されると、その選択されたキープ画像の選択枚数に応じて編集画面が選択される。具体的には、図１４（ｂ）に示すように、Ａ〜Ｆの撮影画像のうちキープ画像としてＡとＣの２枚選択した場合は、図１４（ｄ）に示すように、編集画面は、２枚編集するのに好適な１人用の編集画面（１画面モード）に決定される。図１４（ｃ）に示すように、Ａ〜Ｆの撮影画像のうちＡ、Ｃ、Ｄ、Ｆの４枚選択した場合は、編集画面は、４枚編集するのに好適な２人用の編集画面（２画面モード）に決定される。この場合、各編集画面において後で他の編集画面に切り替えることができるようにしておくことが望ましい。
【０１５８】
また、上記の例に限られず、ＣＰＵ１５１ａは、アンケート選択処理（図５のＳ５）において選択された人数に応じて、編集画面を自動的に選択するようにしてもよいし、例えば顔認識等により人数を判別する人数認識装置を設け、その判別結果に応じて、編集画面を自動的に選択するようにしてもよい。
【０１５９】
図６に示すように、編集画面レイアウト選択処理（Ｓ１３）が終了すると、ＣＰＵ１５１ａは、後で図７を参照して後に詳しく説明する編集処理を行なう（Ｓ１４）。この編集処理では、上記編集画面レイアウト選択処理（Ｓ１３）において選択された編集画面を上記タブレットディスプレイ１３に表示してその落書き入力領域７０に当該編集画面の落書き機能選択領域７１で選択された機能による落書き入力をユーザ１５に実行させるようになっている。具体的には、タブレットディスプレイ１３に選択された編集画面を表示し、ユーザ１５がキープ画像に対して編集用画像を入力する編集入力（お絵描き入力）を受け付けるようになっている。
【０１６０】
ここで、ユーザ１５は、図１６に示すような編集画面において、落書き画像（編集用画像）を入力するために用いられる編集機能（ツール）として落書き機能選択領域７１に表示されるペン、スタンプ、背景、色、線種、および柄等の中から、所望するツールをタッチペン１４Ｌ，１４Ｒで選択する。そして、落書き入力領域７０に対して、選択されたツールを用いた任意の画像や文字等の編集用画像を入力する。すなわち、ＣＰＵ１５１ａは、上記編集用画像の入力を受け付ける。
【０１６１】
ユーザ１５は、タッチペン１４Ｌ，１４Ｒで落書き機能選択領域７１に表示された種々の落書き画像の中から好みの落書き画像を選択し、撮影画像を表示する落書き入力領域７０の任意の位置にタッチすることで、その位置に選択した落書き画像を入力することができる。すなわち、ユーザ１５は、落書き入力領域７０に表示された撮影画像の任意の位置に落書き機能選択領域７１から選択した落書き画像を合成することができる。なお、入力された落書き画像は、スタンプ画像の層、フレーム画像の層等、それぞれ複数の画層で構成されていてもよい。
【０１６２】
上記編集処理（Ｓ１４）において、ＣＰＵ１５１ａは、編集画面にキープ画像と、入力されたペン画像や編集用画像とをメモリ上のそれぞれ別のレイヤに展開しタブレットディスプレイ１３上にそれらレイヤを重ねて表示する。それぞれのレイヤのどちらを上に表示するかは、用途により設定されている。例えば、編集用画像をキープ画像の前景画像とする場合には編集用画像が上のレイヤとなり、キープ画像の背景画像とする場合には編集用画像が下のレイヤとなる。さらに、編集用画像は、スタンプ画像のレイヤ、フレーム画像のレイヤなど、それぞれ機能ごとの複数のレイヤで構成されていてもよい。このように編集用画像を表示するレイヤを複数のレイヤとすることにより、「ひとつもどる」、「ひとつすすむ」、および「はじめから」などの編集過程のコントロールを容易に実現できる。この編集処理（Ｓ１４）では、ＣＰＵ１５１ａによって予め決められた時間内（例えば、１２０秒以内）に操作を行なうように制御される。すなわち、ユーザ１５は、その時間に達するまで編集用画像の入力を行なうことができる。
【０１６３】
具体的には、ＣＰＵ１５１ａは、編集処理が開始されてからの時間を計時する計時手段としての機能を果たし、編集処理が開始されてから所定の時間が経過すると、編集処理を終了するようになっている。このようにすることで、ユーザ１５の１回のプレイ時間が長引くことを防止することができ、写真プリント提供装置の稼動回転率（顧客回転率）の低下を防ぐことができる。
【０１６４】
本実施例では、編集画面に編集方法のヒントを与えたり、編集を誘導し、編集画面における編集方法を案内する案内手段としての編集ヒントボタン８２や編集ヒントウィンドウ８３を設け、編集処理（Ｓ１４）において編集に慣れていないユーザにわかりやすく編集方法を案内したりヒントを与えたりするように構成されている。
【０１６５】
図１６に示すように、編集ヒントボタン８２と編集ヒントウィンドウ８３では、ＣＰＵ１５１ａは、ユーザ１５が、編集時にタッチペン１４で編集ヒントボタン８２をタッチすると、編集ヒントウィンドウ８３に文字等で編集のヒントや上手な使い方などをランダムに表示するようになっている。
【０１６６】
図１７に示すように、上記編集のヒントの具体例としては、図１７（ａ）に示す質問系ヒントや図１７（ｂ）に示す落書きアイデア系ヒントがある。質問系ヒントは、編集ヒントウィンドウ８３に「今日は何食べた？」、「今日はどこにきてるの？」、「名前書いた？」等のように、画像に落書きする言葉（具体的には、落書き入力領域７０に入力する落書き画像）のヒントとなる質問を文字、記号、図形等によって編集ヒントウィンドウ８３に表示する。
【０１６７】
上記落書きアイデア系ヒントは、編集ヒントウィンドウ８３に「花のコロコロスタンプを、髪に押して花のティアラ」、「ほっぺたに赤丸を書くと可愛いよ」等のように、編集ツールを使用して、工夫した編集の仕方を間接的に案内するものや、「コロコロスタンプを使ってオリジナルフレームが作れるよ」、「フレームつけた？かぶったところは消しゴムで消してネ」、「スタンプを沢山押してみよう」、「ハートのスタンプを押してみて！」等のように、編集ツールの使い方を文字、記号、図形等を編集ヒントウィンドウ８３に表示して直接的に案内する。
【０１６８】
なお、ここで、質問系ヒントか落書きアイデア系ヒントのうちどのような形態のヒントがほしいかをユーザ１５に選択可能にしてもよいし、編集ヒントボタン８２にタッチする毎に編集ヒントウィンドウ８３にランダムにヒントが表示されるようにしてもよい。この場合、ユーザ１５またはＣＰＵ等の制御手段は、これらのヒントを示す情報の中から所定の情報を選択し、その選択した情報をＣＰＵ等の制御手段が編集ヒントウィンドウ８３に表示させるようにし、ユーザ１５に対して編集画面に編集方法のヒントを与えたり、編集を誘導し、編集画面における編集方法を案内するようにしてもよい。
【０１６９】
また、編集ヒントウィンドウ８３には、スタンプの機能についてのヒントや工夫した編集をするためのヒントが表示される。このとき同時に音声でもヒントを案内されることが好ましい。なお、編集ヒントウィンドウ８３を表示せず音声のみで案内してもよいが、どちらも限定するものではない。
【０１７０】
また、例えば、編集ヒントボタン８２を複数設け、それらの編集ヒントボタン８２を初級・中級・上級等のように編集に慣れているかどうかの熟練度に対応させ、ユーザ１５がいずれかの編集ヒントボタン８２を選択できるようにしてもよい。この場合、選択された編集ヒントボタン８２に対応した内容が編集ヒントウィンドウ８３に表示されるようにしてもよい。また、熟練度は、撮影側のアンケート選択処理（図５のＳ５）においてユーザ１５に選択させるようにし、その選択された熟練度に応じた内容が編集ヒントウィンドウ８３に表示されるようにしてもよい。
【０１７１】
上記熟練度に応じた内容としては、例えば、編集にあまり慣れていない初級者の場合は、直接的なヒント表示が好ましい。編集にある程度熟練した中級者の場合は、直接的なヒント表示でなく、「今日はどこにきてるの？」、「今日は何の日？」等の質問系ヒントのような、編集のヒントとなる間接的なヒント表示が好ましい。編集に熟練した上級者の場合は、上手に編集を行なう丸秘テクニック等を紹介するようなヒント表示が好ましい。
【０１７２】
なお、編集画面レイアウト選択処理（Ｓ１３）において編集画面を選択する際に、編集ヒントウィンドウ８３を大きく表示するようなレイアウトの編集画面を有する編集画面レイアウト選択画面を表示してもよい。すなわち、ユーザ１５に対して編集ヒントウィンドウ８３を大きく表示するような編集画面を選択可能に用意しておいてもよい。
【０１７３】
図１８に示すように、編集ヒントウィンドウ８３を大きく表示するようなレイアウトが選択された場合、編集画面には、編集ヒントウィンドウ８３を大きく表示される。特に編集に慣れていない初心者等のユーザ１５は、どのように編集ツールを使用すればよいのかわからなかったり、どのような編集ツールがあるのかわからないことが多いため、視覚的に絵などを用いて表示することによって、わかりやすく編集方法のヒントを案内することができる。
【０１７４】
写真プリント提供装置の稼動回転率（顧客回転率）の低下を防止するために、編集プレイ時において、編集時間が制限されている場合においては、編集ツールは多種多様な機能があるため、編集があまり得意でないユーザ１５や編集に慣れていないユーザ１５にとって何をしていいのかわからないうちに編集時間が終了し、中途半端な状態で編集作業が終わってしまったり、編集ツールの機能を活かしきらないまま終わってしまったりするという問題があり、このような問題を防止することができる。
【０１７５】
また、写真自動販売機の外部に、編集ツールを簡単に説明するポスターやガイドが設置されていても、それでも実際に編集プレイになると慌ててしまい、せっかくの機能を使用できないという問題があり、このような問題も防止できる。
【０１７６】
また、編集中に、新機能等の特別な編集ツールのみだけではなく、全ての編集ツールの使い方を案内することもでき、慣れていないユーザ１５に対して使い方を案内することができる。さらに、編集ツールを使用して、どのように工夫したら面白い編集ができるかという案内をすることができ、どう編集してよいのかわからないということを防止することができる。
【０１７７】
上記編集処理では、ＣＰＵ１５１ａは、上述の編集画面レイアウト選択処理で選択された編集画面をタブレットディスプレイ１３に表示して、タッチペン１４での編集入力を制御するようになっているが、これについては、図７を参照して後に詳しく説明する。
【０１７８】
図６に示すように、編集処理（Ｓ１４）が終了すると、ＣＰＵ１５１ａは、ユーザ１５が好みのシールレイアウトの選択を行なうシール分割レイアウト選択処理を行なう（Ｓ１５）。シール分割レイアウト選択処理では、アンケート選択処理（図５のＳ５）でユーザ１５によって選択された撮影人数を記憶装置１５１ｂから読出し、その撮影人数で分割するのに好適なシールレイアウトの第１のシールレイアウト選択画面を優先的にディスプレイ１３に表示し、ユーザ１５よりシールレイアウトの選択を受け付ける。ここで、好適なシールレイアウトは、印刷対象画像を撮影人数で分割するのに好適な複数のレイアウトを含む。
【０１７９】
シールレイアウトは、印刷対象画像のサイズと配置との組合せ例である。サイズとしては、所定の印刷媒体のサイズを８分割、１６分割、２４分割、２８分割、および３６分割等にしたサイズがあるが、これに限定されるものではない。第１のシールレイアウト選択画面では、撮影人数の倍数で分割したサイズのシールレイアウトや、撮影人数で切り分けやすいようにユーザ１５に１人分ずつにグループ分けされた配置のシールレイアウト（例えば、撮影人数が２人の場合には、左右対象に配置して中央から２人分に切り分けられるようなレイアウト）等がシールレイアウト表示画面に選択可能に表示される。
【０１８０】
ユーザ１５は、シールレイアウト選択画面に表示された複数のレイアウトの中から好みのシールレイアウトをタッチペン１４で選択し、レイアウトを決定する。ユーザ１５によって、例えば好みのシールレイアウトがない場合等に所定の操作が行なわれることで、他のシールレイアウト選択画面（例えば、第２のシールレイアウト選択画面）を表示し、撮影人数に関わらない他の分割のシールレイアウトのサンプルを選択可能に表示するようになっている。
【０１８１】
図６に示すように、シール分割レイアウト選択処理（Ｓ１５）が終了すると、ＣＰＵ１５１ａは、印刷開始処理を行なう（Ｓ１６）。この印刷開始処理は、タッチペン１４Ｌ，１４Ｒとタブレットディスプレイ１３とからなる入力装置からシールレイアウトの選択の入力を受け付けると、選択されたシールレイアウトに沿って、キープ画像と指示信号、または／および編集対象であるキープ画像と編集用画像とを合成した合成画像と、指示信号とをプリンタ１２に送信する。そして、プリンタ１２にキープまたは／および合成画像を印刷媒体３５の表面に印刷させる印刷制御を行なう。
【０１８２】
すなわち、この印刷処理では、ＣＰＵ１５１ａは、ユーザ１５をプリンタ１２の前に誘導するアナウンス音声（例えば、「シールは左から出るよ！」）をスピーカ１６から出力するスピーカ制御、またはユーザ１５をプリンタ１２の前に誘導する表示をタブレットディスプレイ１３に表示する表示を行なうとともに、ユーザ１５により選択された撮影画像および／または合成画像の情報やレイアウトの情報に基づいてプリンタ１２を制御する。
【０１８３】
印刷開始処理（Ｓ１６）を行なうと、Ｓ１１に戻り、待機画面をタブレットディスプレイ１３に表示して次の利用者の利用を待機する。
【０１８４】
なお、プリント取出口９がタブレットディスプレイ１３の側面に設けられている場合は、印刷を開始するタイミングでタブレットディスプレイ１３に「印刷中です。プリントは横から出ます。外に出て待ってね。」などの案内を表示することが好ましい。
【０１８５】
プリンタ１２は、ＣＰＵ１５１ａと独立して動作し、ＣＰＵ１５１ａの印刷制御により、撮影画像や合成画像をシール（写真プリント）として印刷し、その写真プリントをプリント取出口９から排出するシール排出処理を行なうようになっている。これにより、シールは、ユーザ１５に提供される。
【０１８６】
また、編集プレイを終えたユーザ１５を写真プリント提供装置の外に待機させ、プリンタ１２の印刷時間（例えば、約１分）の間に、つぎのユーザ（編集プレイを待機しているユーザ）に編集プレイを開始させることができる。
【０１８７】
例えば、上記印刷開始時（具体的には、編集画面レイアウト選択処理の後であって印刷開始処理前）に、プリンタ１２に故障や用紙切れエラー等の異常が発生した場合は、タブレットディスプレイ１３等にその旨を表示してユーザ１５に報知し、プリンタ１２が異常状態から復帰するまで、つぎのユーザが編集プレイを行なうことができないように制御するようになっている。
【０１８８】
また、プリンタ１２の印刷が開始され、つぎのユーザが編集プレイを始めた後、プリンタ１２にエラー等の異常が発生した場合は、その編集プレイを始めたユーザの編集プレイが終了した後に、プリンタ１２に異常が発生した旨を表示してユーザ１５に報知するようになっている。このようにすることで、編集プレイを始めたユーザが編集プレイの途中で遊戯に興ざめしてしまうことを防止することができる。
【０１８９】
すなわち、本発明の写真プリント提供装置は、ユーザ１５が撮影画像に対する落書き入力する落書き入力領域７０と、ユーザ１５が上記落書き入力領域７０に落書き入力するための落書き機能を選択する落書き機能選択領域７１とを含む編集画面を表示する表示手段であるタブレットディスプレイ１３を備える。
【０１９０】
さらに、上記落書き入力領域７０および／または上記落書き機能選択領域７１のレイアウトが異なる複数種類の編集画面の中から所定の編集画面を選択する編集画面選択ステップである編集画面レイアウト選択処理（図６のＳ１３）と、上記編集画面レイアウト選択処理（図６のＳ１３）において選択された編集画面を上記タブレットディスプレイ１３に表示してその落書き入力領域７０に当該編集画面の落書き機能選択領域７１で選択された機能による落書き入力をユーザ１５に実行させる編集ステップである編集処理（図６のＳ１４）とを制御する制御手段である編集側コンピュータ装置１５１と、上記撮影画像と、上記編集画面の落書き入力領域７０に入力された落書き入力画像との合成画像を写真プリントとして印刷出力するプリンタ１２とを備えている。
【０１９１】
すなわち、編集側コンピュータ装置１５１は、上記編集処理（図６のＳ１４）において、上記落書き入力領域７０および／または上記落書き機能選択領域７１のレイアウトが異なる複数種類の編集画面の中から所定の編集画面を選択する編集画面レイアウト選択処理（図６のＳ１３）で選択された編集画面を上記タブレットディスプレイ１３に表示してその落書き入力領域７０に当該編集画面の落書き機能選択領域７１で選択された機能による落書き入力をユーザ１５に実行させる。そして、プリンタ１２は、上記撮影画像と、上記編集画面の落書き入力領域７０に入力された落書き入力画像との合成画像を写真プリントとして印刷出力する。
【０１９２】
また、本発明の写真プリント提供方法は、上記のような構成の写真プリント提供装置において、複数種類の編集画面の中から所定の編集画面を選択する編集画面選択ステップである編集画面レイアウト選択処理（図６のＳ１３）と、編集画面レイアウト選択処理（図６のＳ１３）において選択された編集画面を上記タブレットディスプレイ１３に表示し落書き入力をユーザ１５に実行させる編集ステップである編集処理（図６のＳ１４）とを備える。その後、上記撮影画像と、上記編集画面の落書き入力領域７０に入力された落書き入力画像（編集用画像）との合成画像を写真プリントとして印刷出力するようになっている。
【０１９３】
したがって、上記編集処理（図６のＳ１４）において、複数種類の編集画面の中から所定の編集画面を選択する編集画面レイアウト選択処理（図６のＳ１３）で選択された編集画面を上記タブレットディスプレイ１３に表示し落書き入力をユーザ１５に実行させる。そして、上記撮影画像と、上記編集画面の落書き入力領域７０に入力された落書き入力画像との合成画像を写真プリントとして印刷出力することができる。
【０１９４】
すなわち、上記タブレットディスプレイ１３は、上記編集処理（図６のＳ１４）において、複数種類の編集画面の中から所定の編集画面を選択する編集画面レイアウト選択処理（図６のＳ１３）で選択された編集画面を表示する。そして、ユーザ１５は、その編集画面の落書き入力領域７０に落書き入力を実行し、上記撮影画像と、上記編集画面の落書き入力領域７０に入力された落書き入力画像との合成画像を写真プリントとして得ることができる。
【０１９５】
これにより、上記複数種類の編集画面の中から選択された編集画面が、例えばユーザ１５の人数や２人で１つの落書き入力領域７０に落書き入力する等のユーザ１５の編集形態に合ったレイアウトの編集画面である場合、ユーザ１５に対して個別のプレイ状況や所望の編集形態に合わせた編集プレイを提供することができる。また、ユーザ１５のプレイ人数や編集形態に対応できるため、例えば、ユーザ１５が少人数である場合において、落書き入力領域７０が大きい編集画面を選択することで、ユーザ１５（特に大きな落書き入力領域７０や落書き機能選択領域７１で編集プレイを行ないたいユーザ１５）は編集プレイが行ない易くなる等、ユーザ１５の満足を向上させることができる。
【０１９６】
具体的には、本発明の写真プリント提供方法では、上記編集画面にユーザ１５が上記落書き入力領域７０に落書き入力するための落書き機能を選択する落書き機能選択領域７１を含め、上記編集画面レイアウト選択処理（図６のＳ１３）では、上記落書き入力領域７０および／または上記落書き機能選択領域７１の数が異なる複数種類の編集画面の中から所定の編集画面を選択し、上記編集処理（図６のＳ１４）では、上記編集画面レイアウト選択処理（図６のＳ１３）において選択された編集画面をタブレットディスプレイ１３に表示してその落書き入力領域７０に当該編集画面の落書き機能選択領域７１で選択された機能による落書き入力をユーザ１５に実行させるようになっている。
【０１９７】
したがって、上記編集処理（図６のＳ１４）において、上記落書き入力領域７０および／または上記落書き機能選択領域７１の数が異なる複数種類の編集画面の中から所定の編集画面を選択する編集画面レイアウト選択処理（図６のＳ１３）で選択された編集画面を上記タブレットディスプレイ１３に表示してその落書き入力領域７０に当該編集画面の落書き機能選択領域７１で選択された機能による落書き入力をユーザ１５に実行させる。そして、上記撮影画像と、上記編集画面の落書き入力領域に入力された落書き入力画像との合成画像を写真プリントとして印刷出力することができる。
【０１９８】
すなわち、上記タブレットディスプレイ１３は、上記編集処理（図６のＳ１４）において、上記落書き入力領域７０および／または上記落書き機能選択領域７１の数が異なる複数種類の編集画面の中から所定の編集画面を選択する編集画面レイアウト選択処理（図６のＳ１３）で選択された編集画面を表示する。そして、ユーザ１５は、その編集画面の落書き入力領域７０に当該編集画面の落書き機能選択領域７１で選択された機能による落書き入力を実行し、上記撮影画像と、上記編集画面の落書き入力領域に入力された落書き入力画像との合成画像を写真プリントとして得ることができる。
【０１９９】
また、上記印刷媒体３５は、ユーザ１５が撮影画像に対する落書き入力する落書き入力領域７０を含む編集画面を表示する表示手段であるタブレットディスプレイ１３を備えた写真プリント提供装置に用いる写真プリント提供方法により生成される印刷媒体である。
【０２００】
そして、複数種類の編集画面の中から所定の編集画面を選択する編集画面選択ステップである編集画面レイアウト選択処理（図６のＳ１３）と、編集画面レイアウト選択処理（図６のＳ１３）において選択された編集画面を上記タブレットディスプレイ１３に表示し落書き入力をユーザ１５に実行させる編集ステップである編集処理（図６のＳ１４）とを備える。その後、上記撮影画像と、上記編集画面の落書き入力領域７０に入力された落書き入力画像（編集用画像）との合成画像を写真プリントとして印刷出力する写真プリント提供方法により生成される。これにより、ユーザ１５は、上述と同様に、上記写真プリントを得ることができる。
【０２０１】
つぎに、図７を参照して、編集処理について説明する。
【０２０２】
まず、ＣＰＵ１５１ａは、編集入力が終了したか否かを判別する（Ｓ２１）。すなわち、編集入力を受け付ける期間中、編集入力終了を監視する。ここで、編集入力が終了していると（Ｓ２１で“ＹＥＳ”）、編集処理を終了し、シール分割レイアウト選択処理（図６のＳ１５）に進み、編集入力が終了していないと（Ｓ２１で“ＮＯ”）、Ｓ２２に進む。
【０２０３】
ここで、編集処理（編集入力）を終了する条件は、例えば、予め設定された編集入力制限時間が経過したか、ユーザ１５がタブレットディスプレイ１３に表示された終了ボタン（図１６に示す「おしまい」ボタン）をタッチペン１４Ｌ，１４Ｒでタッチすることである。ユーザ１５の編集入力中、ＣＰＵ１５１ａは、上述の編集入力の終了を監視しながら、タッチペン１４Ｌ，１４Ｒの入力を監視し続ける（Ｓ２１、Ｓ２２、Ｓ２４、Ｓ２１のループ処理）。
【０２０４】
編集入力が終了していないと（Ｓ２１で“ＮＯ”）、ＣＰＵ１５１ａは、ＩＤ＝１（ＩＤ１）の識別情報を有するタッチペン１４Ｌでタブレットディスプレイ１３がタッチされたか否かを判別する（Ｓ２２）。ここで、タッチペン１４Ｌでタブレットディスプレイ１３がタッチされると（Ｓ２２で“ＹＥＳ”）、Ｓ２３に進み、タッチペン１４Ｌでタブレットディスプレイ１３がタッチされていないと（Ｓ２２で“ＮＯ”）、Ｓ２４に進む。
【０２０５】
ユーザ１５がタッチペン１４Ｌ，１４Ｒでタブレットディスプレイ１３をタッチすると、タブレットディスプレイ１３からＣＰＵ１５１ａへタッチペン１４Ｌ，１４Ｒの情報（タッチした位置やタッチペンの識別情報等）が送信されるようになっている。
【０２０６】
タッチペン１４Ｌでタブレットディスプレイ１３がタッチされると（Ｓ２２で“ＹＥＳ”）、ＣＰＵ１５１ａは、表示されている編集画面がＩＤ１のタッチペン１４Ｌからの入力を受け付けるレイアウトであるか否かを判別する（Ｓ２３）。ここで、タッチペン１４Ｌからの入力を受け付けるレイアウトであると（Ｓ２３で“ＹＥＳ”）、Ｓ２６に進み、タッチペン１４Ｌからの入力を受け付けるレイアウトでないと（Ｓ２３で“ＮＯ”）、入力できない旨を利用者に案内する表示を行ない、Ｓ３１に進む。
【０２０７】
具体的には、図１５（ａ）に示すように、ユーザ１５に対してタッチペン１４Ｌの入力を受け付けない旨を報知するため、タッチした位置に禁止マーク８５を表示している。この禁止マーク８５は、タッチペン１４Ｌを離すと、画面から消去される。
【０２０８】
ここで、図１５（ａ）は、１つの落書き入力領域７０と１つの落書き機能選択領域７１がタブレットディスプレイ１３に並置して表示されたレイアウトの編集画面を示す。この場合、初期設定ではタッチペン１４Ｒの入力のみを受け付けるように予め設定されている。さらに、タッチペン１４Ｒで入力受け付け可能な領域として、落書き入力領域７０（図示においてＡで示す領域）、落書き機能選択領域７１（図示においてＢで示す領域）が予め設定されている。
【０２０９】
図１５（ａ）に示す編集画面の上部の配置された左ペン設定ボタン７７Ｌ、右ペン設定ボタン７７Ｒは、ユーザ１５の意図により、予め設定された入力受け付け可能なタッチペン１４Ｌまたはタッチペン１４Ｒの入力を変更するためのボタンである。また、現在どのペンでの入力が可能であるかをユーザ１５に示す案内機能としても作用する。左ペン設定ボタン７７Ｌ、右ペン設定ボタン７７Ｒは、落書き入力領域７０が１つのレイアウトの編集画像において機能するようにすることが好ましい。
【０２１０】
ここで、入力を変更するとは、上述の編集入力処理の説明において、落書き入力領域７０または落書き機能選択領域７１の操作入力を、どちらのペンで行なうかを変更するという趣旨である。
【０２１１】
図１５（ａ）の例では、左のペンの入力を受け付けないようになっている。ここで、ユーザ１５が左利きであり、装置の右側に設置されているタッチペン１４Ｒでは入力しづらいという場合には、タッチペン１４Ｌで左ペン設定ボタン７７Ｌをタッチすることで、タッチペン１４Ｌの入力を受け付け可能とする。このとき、左ペン設定ボタン７７Ｌに「左ペン有効」と表示される。
【０２１２】
すなわち、左ペン設定ボタン７７Ｌには、タッチペン１４Ｌで左ペン設定ボタン７７Ｌがタッチされるごとに、左ペン設定ボタン７７Ｌに「左ペン有効」と「左ペン無効」とを切り替えて表示される。これにより、ユーザ１５は、現在どのペンでの入力が可能であるかを認識することができる。
【０２１３】
タッチペン１４Ｒにおいてもタッチペン１４Ｌと同様であり、右ペン設定ボタン７７Ｒにより、同様な処理が、左ペン設定ボタン７７Ｌとは独立に行なわれる。
【０２１４】
ここで、これら左ペン設定ボタン７７Ｌ、右ペン設定ボタン７７Ｒは、どちらのタッチペン１４Ｌまたはタッチペン１４Ｒで常に操作可能にしておくことも可能であるが、左ペン設定ボタン７７Ｌはタッチペン１４Ｌでのみ入力を受け付け、右ペン設定ボタン７７Ｒはタッチペン１４Ｒでのみ入力を受け付けるようにすると、対応がわかりやすくなり、好ましい。
【０２１５】
上記左ペン設定ボタン７７Ｌおよび右ペン設定ボタン７７Ｒは、上述の設定した状態に関わらず常に、入力を受け付けるようになっていることが望ましい。例えば、「左ペン無効」で落書き入力領域７０への入力が無効な場合であっても、左ペン設定ボタン７７Ｌに対するタッチペン１４Ｌの入力は受け付けるようにしてもよい。
【０２１６】
一方、図１５（ｂ）は、１つの落書き入力領域７０と１つの落書き機能選択領域７１がタブレットディスプレイ１３に上下に配置され、その１つの落書き入力領域７０と１つの落書き機能選択領域７１との組が左と右に２組配置された編集画面のレイアウトを示す。図示のＸ座標より左側の領域はタッチペン１４Ｌで操作し、上記Ｘ座標より右側の領域はタッチペン１４Ｒで操作するように、予め設定されている。また、タッチペン１４Ｌで入力受け付け可能な領域として、落書き入力領域７０（図示においてＣで示す領域）と、落書き機能選択領域７１（図示においてＤで示す領域）が予め設定され、タッチペン１４Ｒで入力受け付け可能な領域として、落書き入力領域７０（図示においてＥで示す領域）、落書き機能選択領域７１（図示においてＦで示す領域）が予め設定されている。
【０２１７】
このように予め設定する内容は、先の編集画面レイアウト選択処理（図６のＳ１３）において選択された編集画面に対応するように、本処理を行なうプログラム中に、タッチペンに設定された情報、タッチペンの入力可能な領域情報等の情報がテーブルとして記憶されている。
【０２１８】
図７に示すように、タッチペン１４Ｌでタブレットディスプレイ１３がタッチされていないと（Ｓ２２で“ＮＯ”）、ＣＰＵ１５１ａは、ＩＤ＝２（ＩＤ２）の識別情報を有するタッチペン１４Ｒでタブレットディスプレイ１３がタッチされたか否かを判別する（Ｓ２４）。ここで、タッチペン１４Ｌでタブレットディスプレイ１３がタッチされると（Ｓ２４で“ＹＥＳ”）、Ｓ２５に進み、タッチペン１４Ｌでタブレットディスプレイ１３がタッチされていないと（Ｓ２４で“ＮＯ”）、Ｓ２１に戻る。
【０２１９】
タッチペン１４Ｒでタブレットディスプレイ１３がタッチされると（Ｓ２４で“ＹＥＳ”）、ＣＰＵ１５１ａは、表示されている編集画面がＩＤ２のタッチペン１４Ｒからの入力を受け付けるレイアウトであるか否かを判別する（Ｓ２５）。ここで、タッチペン１４Ｒからの入力を受け付けるレイアウトであると（Ｓ２５で“ＹＥＳ”）、Ｓ２６に進み、タッチペン１４Ｒからの入力を受け付けるレイアウトでないと（Ｓ２５で“ＮＯ”）、入力できない旨を利用者に案内する表示を行ない、Ｓ３１に進む。
【０２２０】
タッチペン１４Ｌまたはタッチペン１４Ｒでの入力を受け付けるレイアウトである場合（Ｓ２３で“ＹＥＳ”またはＳ２５で“ＹＥＳ”）、ＣＰＵ１５１ａは，タッチした位置やタッチペンの識別情報等の情報をメモリ１５１ｃに記憶させる（Ｓ２６）。ついで、ＣＰＵ１５１ａは、入力した位置（入力座標）が入力受け付け可能な編集機能選択領域内の各種ボタン（例えば、図１６に示す「ペン」ボタン、ペン種を選択する「ペン種選択」ボタン）、「けしゴム」ボタン等）であるか否かを判別する（Ｓ２７）。ここで、入力座標が入力受け付け可能な編集機能選択領域内であると（Ｓ２７で“ＹＥＳ”）、Ｓ２８に進み、入力座標が入力受け付け可能な編集機能選択領域内でないと（Ｓ２７で“ＮＯ”）、Ｓ２９に進む。
【０２２１】
入力座標が入力受け付け可能な編集機能選択領域内であると（Ｓ２７で“ＹＥＳ”）、入力位置に対応する編集内容を選択した状態にし（Ｓ２８）、Ｓ２１に戻る。すなわち、入力位置のボタンに対応する編集内容での編集入力が可能な状態とする。
【０２２２】
具体的には、図１５（ｂ）に示すように、タッチペン１４Ｌは図においてＸで示すＸ座標より左側の領域をタッチ（操作）し、タッチペン１４Ｒは上記Ｘ座標より右側の領域で操作するように設定されている。このため、タッチペン１４Ｌでは、領域Ｄが入力可能な落書き機能選択領域７１内であり、タッチペン１４Ｒでは、領域Ｆが入力可能な落書き機能選択領域７１である。すなわち、タッチペン１４Ｌで領域Ｆをタッチした場合には、タッチペン１４Ｌでは、入力可能な落書き機能選択領域７１内ではないため、Ｓ２７の判別で“ＮＯ”となる。
【０２２３】
タッチペン１４Ｌ，１４Ｒでタッチした入力座標が入力受け付け可能な落書き機能選択領域７１内でないと（Ｓ２７で“ＮＯ”）、ＣＰＵ１５１ａは、入力座標が入力可能な落書き入力領域内であるか判定する（Ｓ２９）。ここで、入力座標が入力可能な落書き入力領域７０内であると（Ｓ２９で“ＹＥＳ”）、Ｓ３０に進み、入力座標が入力可能な落書き入力領域７０内でないと（Ｓ２９で“ＮＯ”）、Ｓ３１に進む。
【０２２４】
入力座標が入力可能な落書き入力領域７０内であると（Ｓ２９で“ＹＥＳ”）、ＣＰＵ１５１ａは、現在選択状態の編集内容で編集用画像を入力する（Ｓ３０）。具体的には、現在選択されている編集内容にしたがって、所定の処理を行ない、落書き入力領域７０に編集入力を行なう。ついで、編集入力の所定の処理が完了すると、Ｓ２１に戻る。
【０２２５】
ここで、上記編集内容として、例えばスタンプ画像が選択されている場合は、落書き入力領域７０の入力座標位置にスタンプ画像を表示し、「けしゴム」が選択されている場合は、指定した位置の既に入力されている編集用画像を消去する。
【０２２６】
また、図１５（ｂ）に示すように、上述と同様、タッチペン１４ＬはＸ座標より左側の領域で操作し、タッチペン１４ＲはＸ座標より右側の領域で操作するように設定されているため、タッチペン１４Ｌでは領域Ｃが入力可能な落書き入力領域７０内であり、タッチペン１４Ｒでは領域Ｅが入力可能な落書き入力領域７０内である。すなわち、図示のように、タッチペン１４Ｌで領域Ｃをタッチした場合には、タッチペン１４Ｌでは、入力可能な落書き入力領域７０内ではないため、Ｓ２９で“ＮＯ”となり、上述の禁止マーク８５を表示し（Ｓ３１）、Ｓ２１に戻る
【０２２７】
また、ＣＰＵ１５１ａは、タッチペン１４Ｌまたはタッチペン１４Ｒがタッチした位置が入力可能な編集機能選択領域７１内でもなく（Ｓ２７で“ＮＯ”）、落書き入力領域７０内でもない場合（Ｓ２９で“ＮＯ”）には、上述の禁止マーク８５を表示し（Ｓ３１）、Ｓ２１に戻る。
【０２２８】
上記説明および図１５（ａ）および図１５（ｂ）は例示であり、その他のレイアウトであっても、同様の処理により、タッチペン１４の制御を行なうことができる。
【０２２９】
なお、図１５（ａ）および図１５（ｂ）では、画像選択領域を示していないが、画像選択領域を表示する場合、ユーザ１５は、入力受け付け可能なタッチペン１４で、画像選択領域に表示された複数のキープ画像（編集対象画像）の中から編集を行ないたい画像をタッチする。ＣＰＵ１５１ａは、タッチされた位置に対応するキープ画像を落書き入力領域７０内に表示する。
【０２３０】
すなわち、本発明においては、ユーザ１５が上記落書き機能選択領域７１で選択した落書き機能により上記落書き入力領域７０に入力するための複数の入力手段であるタッチペン１４を備えている。そして、上記編集処理（図６のＳ１４）において、上記タッチペン１４Ｌ，１４Ｒのうちいずれかのタッチペンからのいずれかの上記落書き入力領域７０への入力を制限するようになっている。これにより、ユーザ１５がいずれかのタッチペンでいずれかの上記落書き入力領域７０に落書き入力することを防止することができる。例えば、ユーザ１５が誤って他のユーザ１５が落書き入力する落書き入力領域７０に落書き入力してしまうことを防止することができる。
【０２３１】
なお、本実施例では、上記編集ブース５３には、タブレットディスプレイ１３が１つ設けられている構成を有するが、これに限定されるものではない。
【０２３２】
例えば、図１９（ａ）に示すようにタブレットディスプレイ１３を複数設けてもよい（図示では２つ）。また、図１９（ｂ）に示すように、編集側筐体２を構成せず、撮影側筐体１の背面に複数台で構成されていてもよい。
【０２３３】
また、図１９（ｃ）に示すように、タブレットディスプレイ１３を設置する面を略水平に構成してもよい。このような構成の場合は、ユーザ１５は他方向から編集することが可能になる。用意しておく編集画面のレイアウトも、画面数、編集アイテムの配置だけでなく、画面の向きなども選択できることが好ましい。このようにすることによって、ユーザ１５は、同じ画面数であっても、同一方向を向いて編集するか、対面を向いて編集するかなど、編集する時に立つ位置が選択できることになるため、ユーザのそれぞれの状況や、所望のプレイスタイル（編集形態）に対応できる。
【０２３４】
また、タブレットディスプレイ１３を設置する面の角度を変更できるようにすると、プレイ人数によって、好適な編集画面のレイアウトを選択しやすくなる。例えば、２人のときは、タブレットディスプレイ１３を設置する面を斜めに構成したり、４人以上いるときは、タブレットディスプレイ１３を設置する面を床面に対して略水平に構成すると、すべてのユーザが編集をし易くなるため、効果的である。
【０２３５】
つぎに、図２０〜図２２を参照して、背景装置５１について説明する。
【０２３６】
撮影ブース４内には、被写体の背景を表示する背景表示手段としての背景装置５１が設けられている。上記背景装置５１は、光の３原色であるＲ（赤）、Ｇ（緑）、Ｂ（青）のそれぞれに対応するＬＥＤ（Ｌｉｇｈｔ  Ｅｍｉｔｔｉｎｇ  Ｄｉｏｄｅ）ランプ４１ａ，４１ｂ，４１ｃを密集させた多色集合ＬＥＤランプ４２をマトリックス状に配置し、それぞれのＬＥＤランプ４１ａ，４１ｂ，４１ｃを点灯させ、アクリルなどの拡散板を通して、点灯させた光を拡散させて撮影時の背景として利用する構成となっている。
【０２３７】
従来、撮影画像の背景となる部分には、背景用にカーテンレールに懸下されている手引き式のカーテン、またはエンドレスベルト状や巻取り巻上げ式のカーテンが利用されていることが多い。また、フレームを選択して、上半身のみを撮影するだけの写真プリント提供装置においては、カーテンは外部から、撮影ブース４内で撮影している様子が見えないようにするための目隠し目的や、背景の風景が写らないようにする目的に使用されていたが、近年の写真プリント提供装置においては、ユーザは多様な写真のできあがりを求める傾向にあるため、撮影ブースの後方に配置したカーテンまたはカーテンに色や模様を付加したり様々な素材の生地を利用し、多様な写真を撮影するための背景として使用されるようになった。さらに背景のカーテンは、手動式も多いが、近年は電動式でユーザ１５の選択により自動で動くカーテンやロールカーテンなどが使用されることが増えてきた。
【０２３８】
手引き式のカーテンを利用する場合は、背景のバリエーションを増やすために複数のカーテンを用意する場合もあるが、バリエーションを増やすためにカーテンの数を増やすと、該カーテンに写真プリント提供装置内の多くのスペースが占有されてしまうという問題があった。また、カーテンを複数用意した場合であっても、背景の種類は該カーテンの数に限られてしまうという問題はある。また、カーテンが複数ある場合には、所望する背景を配備するためにカーテンの移動に手間がかかるという問題があった。
【０２３９】
電動カーテンを利用する場合は、複数の背景バリエーションを実現するが、空間を広くとることによって背景のバリエーションを増やしているため、装置が大型化する傾向があり、このため、店舗設置面積が大きくなる、あるいは撮影ブース４を狭くしなければならないという問題があった。また、電動のため、簡単に背景の切換操作ができるが、背景の切換に時間がかかるという問題があった。
【０２４０】
さらに、現在の写真プリント提供装置は、被写体をきれいに撮影するためにフラッシュを使用しているため、該フラッシュの影響を受けて、背景が白く反射する傾向がある。このような問題を解決するために、現在は、カメラのシャッタ速度を背景に合わせることによって、反射を最小限に調整している。このため、背景の位置は固定である必要があった。
【０２４１】
上記背景装置５１のＬＥＤ（Ｌｉｇｈｔ  Ｅｍｉｔｔｉｎｇ  Ｄｉｏｄｅ）ランプ４１ａ，４１ｂ，４１ｃは、ランプ寿命が長い、熱を持たない、高輝度で色彩が鮮やかであり視認性に優れる、応答速度が速くＩＣでの直接駆動が可能である、などのメリットがある。このため、写真プリント提供装置の撮影時の背景として様々な問題を解決することができる。具体的には、ランプ寿命が長いためにランプ交換などをしなくてもよいため、メンテナンス費用がかからない。また、熱を持たないため装置が熱くなることもない。また、明るく多彩な色表現と模様表現ができるため、背景のバリエーションが広がり、撮影時の背景に好適である。さらに、応答速度が速いために背景の切換が速くできるなどが挙げられる。
【０２４２】
つぎに、ＬＥＤランプ４１ａ，４１ｂ，４１ｃで構成された多色集合ＬＥＤランプ４２を用いた背景装置５１についてより詳しく説明する。
【０２４３】
図２０は、背景装置５１の色表現をするための多色集合ＬＥＤランプ４２の具体例を表す図である。
【０２４４】
多色集合ＬＥＤランプ４２は、青色のＬＥＤランプ４１ａと赤色のＬＥＤランプ４１ｂと緑色のＬＥＤランプ４１ｃとを、密集させて一列に並べた状態で構成されている。但し、ＬＥＤランプ４１ａ，４１ｂ，４１ｃが密集されているのであれば、このような配置に限定するものではない。また、ＬＥＤランプ４１ａ，４１ｂ，４１ｃの色も限定するものではない。桃色、黄色、白色等の任意の色を発光するＬＥＤランプを構成していてもよい。ＬＥＤランプ４１ａ，４１ｂ，４１ｃは、撮影側コンピュータ装置１０１の指示（制御指令）により、撮影側制御部１０２を介して発光パターンの信号が背景装置５１に送信され、発光パターンに従ってＬＥＤランプ４１ａ，４１ｂ，４１ｃに電圧をかけることによって点灯する。光の三原色のＬＥＤランプ４１ａ，４１ｂ，４１ｃそれぞれを独立して点灯させるため、組合せによって多彩な色表現や模様表現が実現できる。
【０２４５】
写真プリント提供装置の撮影時のフラッシュは、美しい写真を撮影できるように、フラッシュなどの光量がやや強めに設定されていることが多い。このため、多色集合ＬＥＤランプ４２は、撮影時のフラッシュの光が反射して白飛びしないように高輝度のものを使用することが好ましい。
【０２４６】
図２１（ａ）に示すように、上述のように構成された多色集合ＬＥＤランプ４２は、均一にマトリックス状に行列配置され、多色集合ＬＥＤランプ４２のそれぞれのＬＥＤランプ４１ａ，４１ｂ，４１ｃを適宜点灯させることによって、図２１（ｂ）に示すように、ハート型の模様を表現したり、更にグラデーションや、流線型の模様など組合せの多彩な色彩表現と模様表現とを実現するようになっている。
【０２４７】
図２２に示すように、ＬＥＤランプ４１ａ，４１ｂ，４１ｃの前面（すなわち、被写体であるユーザ１５の背後に当たる面）には、アクリルなどの乳白色の拡散板４０を配置し、ＬＥＤランプ４１ａ，４１ｂ，４１ｃの光を拡散させる。また、拡散板４０は、ユーザ１５が写真プリント提供装置を利用する際に多色集合ＬＥＤランプ４２などに直接触れることを防止する隔離手段でもある。背景装置５１がこのような隔離手段を備えることで、ユーザ１５がＬＥＤランプ４１ａ，４１ｂ，４１ｃに直接触れることによって、ユーザ自身が怪我をしたり、ＬＥＤランプ４１ａ，４１ｂ，４１ｃが破損することを防止することができる。
【０２４８】
また、図示していないが、拡散板４０を背景装置５１の撮影側から見て最も後方（すなわち、外部に面している面）にも備えてもよい。このようにすることで、当該写真プリント提供装置の外部からも背景装置５１の色再現を視認することができる。外部に面している面は、通常、写真プリント提供装置の商品名やロゴマークや宣伝等を表示する面である。商品名やロゴマークなどの表示媒体を、拡散板４０に貼付けたり、組込むことにより、商品名やロゴマークや宣伝等の背景となる部分の絵柄や色彩などが、背景装置５１のＬＥＤランプ４１ａ，４１ｂ，４１ｃの点灯に伴って変化するため、写真プリント提供装置外部から人目を引くことができる。
【０２４９】
また、この拡散板４０を透明板にしてもよい。ＬＥＤランプ４１ａ，４１ｂ，４１ｃがそのままの状態で見えていても幻想的な背景を形成することが可能である。また、ＬＥＤランプ４１ａ，４１ｂ，４１ｃで構成する背景装置５１の前に、上記手引き式のカーテン等を用意しておき、併用するようにしてもよい。
【０２５０】
本実施例のように背景装置５１に多色集合ＬＥＤランプ４２を利用することにより、色や表現のバリエーションが広がり、背景装置の厚みを薄くすることができる。また、プログラムにより、どの色のＬＥＤランプを発光させるかを制御することによって、色再現性が無限に広がり、幻想的な背景を提供できる。更に、点灯のパターンによっては各種の模様を表現することもできる。
【０２５１】
また、このようにＬＥＤランプ４１ａ，４１ｂ，４１ｃを利用した背景装置５１は、装置の厚みを薄くすることができるため、背景装置５１の移動も容易になる。近年、写真プリント提供装置は大型化している傾向があるので、背景装置５１を移動可能にすることによって、設置面積が狭い場所にも設置することができるようになる。
【０２５２】
例えば、図２３に示すように、写真プリント提供装置の撮影側筐体１のフレーム２０１に案内レール２０３を施設し、背景装置５１にはローラ２０５を設置してもよい。これにより、案内レールに沿ってローラ２０５を移動させることで、背景装置５１を前後に移動することが可能である。ユーザ１５等は、背景装置５１に取り付けられた持ち手２０７を持ち背景装置５１を前後に移動させ、撮影ブース４の空間（体積）を小さくしたり大きくしたりできる。
【０２５３】
また、図２４に示すように、上記背景装置５１を床面に使用してもよい。具体的には、多色集合ＬＥＤランプ４２を、均一にマトリックス状に行列配置し、多色集合ＬＥＤランプ４２のそれぞれのＬＥＤランプ４１ａ，４１ｂ，４１ｃを適宜点灯させることによって、床面と背景に設置された背景装置５１により、撮影ブース４において、更にグラデーションや、流線型の模様等の組合せの多彩な色彩表現と模様表現とを実現する。床面として設置された背景装置５１において、撮影ブース４の床面にあたる部分には、衝撃や荷重に耐える強度の強い拡散板４０を使用する。このようにすることにより、床面も背景のように多彩な色表現ができるため、例えば、ユーザ１５の上方から撮影するカメラ２１１でユーザ１５を撮影する際に、床面が写り込んでも、写真の雰囲気を損ねるということを防止することができる。
【０２５４】
なお、本実施例の写真プリント提供装置で行なう処理は、撮影側の処理と編集側の処理とに分けられており、それぞれの処理を並列的に行なうことを可能としているが、これに限定されるものではなく、撮影側の処理と編集側の処理を並列的に行なわず、撮影処理および編集処理が順次行なわれるような形態であってもよい。
【０２５５】
また、写真プリント提供装置のコンピュータ装置の制御方法を、プログラムとして提供することもできる。
【０２５６】
すなわち、本発明の写真プリント提供プログラムは、ユーザ１５が撮影画像に対する落書き入力する落書き入力領域７０を含む編集画面を表示する表示手段であるタブレットディスプレイ１３を備えた写真プリント提供装置に用いる写真プリント提供プログラムである。
【０２５７】
そして、複数種類の編集画面の中から所定の編集画面を選択する編集画面選択ステップである編集画面レイアウト選択処理（図６のＳ１３）と、編集画面レイアウト選択処理（図６のＳ１３）において選択された編集画面を上記タブレットディスプレイ１３に表示し落書き入力をユーザ１５に実行させる編集ステップである編集処理（図６のＳ１４）と、上記撮影画像と、上記編集画面の落書き入力領域７０に入力された落書き入力画像との合成画像を写真プリントとして印刷出力する印刷ステップとを備える。
【０２５８】
これにより、ユーザ１５は、上記のように写真プリントを得ることができる。このようなプログラムは、コンピュータに付属するフレキシブルディスク、ＣＤ−ＲＯＭ（Ｃｏｍｐａｃｔ  Ｄｉｓｃ−Ｒｅａｄ  Ｏｎｌｙ  Ｍｅｍｏｒｙ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）およびメモリカード等のコンピュータ読取り可能な記録媒体に記録させて、プログラム製品として提供することもできる。あるいは、コンピュータに内蔵するハードディスク等の記録媒体に記録させて、プログラムを提供することもできる。また、電気通信回線や衛星通信回線などのネットワークを通じて、プログラムを提供することもできる。提供されるプログラム製品は、ハードディスクなどのプログラム格納部にインストールされて実行される。なお、プログラム製品は、プログラム自体と、プログラムが記録された記録媒体とを含む。
【図面の簡単な説明】
【０２５９】
【図１】本発明の写真プリント提供装置の外観を示す側面図である。
【図２】写真プリント提供装置の撮影プレイ提供部を示す斜視図である。
【図３】写真プリント提供装置の編集プレイ提供部を示す斜視図である。
【図４】写真プリント提供装置の機能ブロック図である。
【図５】撮影側コンピュータ装置の制御処理を示すフローチャートである。
【図６】編集側コンピュータ装置の制御処理を示すフローチャートである。
【図７】編集処理を示すフローチャートである。
【図８】テストモードにおける編集画面レイアウト設定画面を示す図である。
【図９】テストモードにおける編集画面レイアウト選択画面を示す図である。
【図１０】編集画面レイアウト選択画面を示す図である。
【図１１】タブレットディスプレイを２台設置した場合の編集画面レイアウト選択画面を示す図である。
【図１２】編集画面の組合せの具体例を示す図である。
【図１３】編集画面の切替例を示す図である。
【図１４】編集画面を自動的に選択するようにした場合の例を示す図である。
【図１５】タッチペンの入力制御例を示す図である。
【図１６】編集画面を示す図である。
【図１７】編集ヒントウィンドウに表示される編集のヒントの具体例を示す図である。
【図１８】編集ヒントウィンドウを大きく表示した編集画面を示す図である。
【図１９】タブレットディスプレイを複数備えた写真プリント提供装置を示す図である。
【図２０】背景装置の多色集合ＬＥＤランプを示す図である。
【図２１】背景装置の正面図である。
【図２２】背景装置の側面図である。
【図２３】写真プリント提供装置の側面図である。
【図２４】写真プリント提供装置の側面図である。
【符号の説明】
【０２６０】
１        撮影側筐体
２        編集側筐体
４        撮影ブース
６ａ      サイドカーテン
６ｂ      サイドカーテン
９        プリント取出口
１０      印刷中ＬＥＤ
１１      印刷エラーＬＥＤ
１２      プリンタ
１３      タブレットディスプレイ
１４Ｌ    タッチペン
１４Ｒ    タッチペン
１５      ユーザ
１６      編集側スピーカ
１８ａ    照明部
１８ｂ    照明部
１８ｃ    照明部
１８ｄ    照明部
１９ａ    第１撮影部
１９ｂ    第２撮影部
２１ａ    カメラ
２１ｂ    カメラ
２３      分配器
２３Ｌ    撮影側スピーカ
２３Ｒ    撮影側スピーカ
２４Ｌ    ライブモニタ
２４Ｒ    ライブモニタ
２５Ｌ    ライブモニタ
２５Ｒ    ライブモニタ
２６      コイン投入口
２７      コイン返却口
２８      フロントドア
２９      電源スイッチ
３０      照明装置
３１      ファン
３２ａ    パイロットランプ
３２ｂ    パイロットランプ
３５      印刷媒体
４０      拡散板
４１ａ    ＬＥＤランプ
４１ｂ    ＬＥＤランプ
４１ｃ    ＬＥＤランプ
４２      多色集合ＬＥＤランプ
５１      背景装置
５３      編集ブース
６９      画像選択領域
７０      落書き入力領域
７１      落書き機能選択領域
７２ａ    第１編集画面
７２ｂ    第２編集画面
７２ｃ    第３編集画面
７２ｄ    第４編集画面
７３      「決定」ボタン
７５      残り時間表示領域
７６      「次へ」ボタン
７７Ｌ    左ペン設定ボタン
７７Ｒ    右ペン設定ボタン
８０      編集画面切替ボタン
８２      編集ヒントボタン
８３      編集ヒントウィンドウ
８５      禁止マーク
１０１    撮影側コンピュータ装置
１０１ａ  ＣＰＵ
１０１ｂ  記憶装置
１０１ｃ  メモリ
１０１ｄ  ドライバ
１０１ｅ  通信部
１０２    撮影側制御部
１０３    電源制御部
１０４    ＵＰＳ
１０５    撮影側サービスパネル
１０７    コイン制御部
１１１    タッチパネルディスプレイ
１１３    フラッシュ制御部
１１５    フラッシュ
１５１    編集側コンピュータ装置
１５１ａ  ＣＰＵ
１５１ｂ  記憶装置
１５１ｃ  メモリ
１５１ｄ  ドライバ
１５１ｅ  通信部
１５３    編集側制御部
１５５    編集側サービスパネル
２０１    フレーム
２０３    案内レール
２０５    ローラ
２０７    持ち手
２１１    カメラ
【図１】
2005122684.tif 000003
【図２】
2005122684.tif 000004
【図３】
2005122684.tif 000005
【図４】
2005122684.tif 000006
【図５】
2005122684.tif 000007
【図６】
2005122684.tif 000008
【図７】
2005122684.tif 000009
【図８】
2005122684.tif 000010
【図９】
2005122684.tif 000011
【図１０】
2005122684.tif 000012
【図１１】
2005122684.tif 000013
【図１２】
2005122684.tif 000014
【図１３】
2005122684.tif 000015
【図１４】
2005122684.tif 000016
【図１５】
2005122684.tif 000017
【図１６】
2005122684.tif 000018
【図１７】
2005122684.tif 000019
【図１８】
2005122684.tif 000020
【図１９】
2005122684.tif 000021
【図２０】
2005122684.tif 000022
【図２１】
2005122684.tif 000023
【図２２】
2005122684.tif 000024
【図２３】
2005122684.tif 000025
【図２４】
2005122684.tif 000026
【手続補正書】
【提出日】平成16年9月17日(2004.9.17)
【手続補正１】
【補正対象書類名】特許請求の範囲
【補正対象項目名】全文
【補正方法】変更
【補正の内容】
【特許請求の範囲】
【請求項１】
使用者を被写体として撮影する撮影手段を前面に有する撮影側筐体を含む撮影スペースと、
使用者が撮影画像に対する落書き入力する落書き入力領域を含む編集画面を表示する表示手段を有するとともに上記撮影スペースの外側に突出するよう設けられている編集側筐体と、
上記撮影画像を含む画像を写真プリントとして印刷出力するプリンタと、
上記表示手段に編集画面を対面した方向から編集できるよう表示し落書き入力を使用者に実行させる制御手段とを備え、
上記編集側筐体は上記撮影スペースの外側に突出するよう設けられるとともに、四角い形状とされた上面が略水平に構成され、当該編集側筐体の上記上面に上記表示手段が設置され、
使用者が上記プリンタで印刷出力された印刷媒体を取り出すためのプリント取出口を、上記撮影スペースの上記外側であって使用者が上記編集側筐体に相対する方から見て上記編集側筐体の側面に設け、
上記制御手段は、上記撮影手段、表示手段ならびにプリンタを独立して並列に制御することを特徴とする写真プリント提供装置。
【請求項２】
上記編集画面の向きが、複数の使用者が上記表示手段に対して同一方向からまたは対面した方向から編集できるよう選択されている請求項１記載の写真プリント提供装置。
【手続補正２】
【補正対象書類名】明細書
【補正対象項目名】００１０
【補正方法】変更
【補正の内容】
【００１０】
上記目的を達成するため、本発明の写真プリント提供装置は、使用者を被写体として撮影する撮影手段を前面に有する撮影側筐体を含む撮影スペースと、使用者が撮影画像に対する落書き入力する落書き入力領域を含む編集画面を表示する表示手段を有するとともに上記撮影スペースの外側に突出するよう設けられている編集側筐体と、上記撮影画像を含む画像を写真プリントとして印刷出力するプリンタと、上記表示手段に編集画面を対面した方向から編集できるよう表示し落書き入力を使用者に実行させる制御手段とを備え、上記編集側筐体は上記撮影スペースの外側に突出するよう設けられるとともに、四角い形状とされた上面が略水平に構成され、当該編集側筐体の上記上面に上記表示手段が設置され、使用者が上記プリンタで印刷出力された印刷媒体を取り出すためのプリント取出口を、上記撮影スペースの上記外側であって使用者が上記編集側筐体に相対する方から見て上記編集側筐体の側面に設け、上記制御手段は、上記撮影手段、表示手段ならびにプリンタを独立して並列に制御することを要旨とする。
また、本発明の写真プリント提供装置は、上記編集画面の向きが、複数の使用者が上記表示手段に対して同一方向からまたは対面した方向から編集できるよう選択されている場合を含んでいる。